(57)【要約】楕円眼球吸引リング（ＯＳＲ）を使用して患者眼表面（ＰＥＳ）との液体光学インターフェース（ＬＯＩ）を提供する眼科レーザ治療システムおよび方法が開示される。使い捨て眼球患者インターフェース（ＯＰＩ）が、ＰＥＳ、ＯＳＲ、ＯＰＩ、および光学窓保持器（ＯＷＲ）の同時の差動真空接合を可能にする。ＰＥＳ、ＯＳＲ、ＯＰＩ、およびＯＷＲは、レーザ治療中にＰＥＳを被覆するために中に流体を挿入することができる封止された容積を形成する。真空吸引ポンプ（ＶＳＰ）が、レーザ治療中にＰＥＳ、ＯＳＲ、ＯＰＩ、およびＯＷＲの間の適切な差動真空接合（ＤＶＭ）を保証する、制御された真空をＯＰＩに提供する。ＯＷＲは、眼球力センサ（ＯＦＳ）および光学分別装置ブラケット（ＯＳＳ）を介してレーザ対物ブラケット（ＬＯＢ）に接続する。ＯＦＳは、ＰＥＳに印加される圧力を検知し、レーザ治療中にＰＥＳに印加される圧力を制限するコンピュータ化制御デバイス（ＣＣＤ）にデータを提供する。
2019506246.tif 000002
【特許請求の範囲】
【請求項１】
（ａ）眼球吸引リング（ＯＳＲ）と、
（ｂ）眼球患者インターフェース（ＯＰＩ）と、
（ｃ）光学窓保持器（ＯＷＲ）と、
（ｄ）光学分別装置ブラケット（ＯＳＢ）と、
（ｅ）眼球力センサ（ＯＦＳ）と、
（ｆ）レーザ対物ブラケット（ＬＯＢ）と、
（ｇ）真空吸引ポンプ（ＶＳＰ）と、
（ｈ）コンピュータ制御デバイス（ＣＣＤ）と
を備え、
該ＯＳＲは、該ＯＰＩ上の対応する接合接触面（ＭＣＳ）と接合するように構成されている接合接触リング（ＭＣＲ）を備え、
該ＯＳＲは、患者眼表面（ＰＥＳ）と接合するように構成されている外側接触リング（ＯＣＲ）をさらに備え、
該ＯＳＲは、該ＰＥＳと接合するように構成されている内側接触リング（ＩＣＲ）をさらに備え、
該ＯＣＲは、ゼロよりも大きい外側楕円離心率（ＯＥＥ）を有する該ＯＣＲを構成する外側楕円長軸（ＯＥＪ）および外側楕円短軸（ＯＥＮ）を有する外側楕円円筒チューブ（ＯＥＣ）を形成し、
該ＩＣＲは、ゼロよりも大きい内側楕円離心率（ＩＥＥ）を有する該ＩＣＲを構成する内側楕円長軸（ＩＥＪ）および内側楕円短軸（ＩＥＮ）を有する内側楕円円筒チューブ（ＩＥＣ）を形成し、
該ＯＥＪは該ＩＥＪと一致し、
該ＯＥＮは該ＩＥＮと一致し、
該ＯＥＣは、該ＰＥＳに合致するように長手方向に湾曲する外側遠位周縁部（ＯＤＥ）を備え、
該ＩＥＣは、該ＰＥＳに合致するように長手方向に湾曲する内側遠位周縁部（ＩＤＥ）を備え、
該ＰＥＳが該ＯＤＥおよび該ＩＤＥと同時に接触するときに、該ＯＣＲおよび該ＩＣＲは接触リング半径（ＣＲＲ）によってともに結合されて、患者眼真空チャンバ（ＥＶＣ）が形成され、
該ＯＰＩは、該ＯＷＲ上の対応する真空接合面（ＶＭＳ）と接合し、該ＣＭＳと該ＶＭＳとの間に真空ドッキング空隙（ＶＤＶ）を提供するように構成されている円錐状接合面（ＣＭＳ）を備え、
該ＯＰＩは、該ＶＤＶに真空が印加されるときに該ＯＷＲに動的に接合するように構成されており、
該ＯＰＩは、ドッキング真空ポート（ＤＶＰ）、吸引真空ポート（ＳＶＰ）、および液体注入ポート（ＬＩＰ）をさらに備え、
該ＯＰＩは、液体インターフェース窓（ＬＩＷ）を該ＭＣＳと同心に保持するように構成されており、
該ＶＳＰは、該ＤＶＰおよび該ＳＶＰに制御された差動真空を供給するように構成されており、
該ＤＶＰは該ＶＤＶに接続されており、
該ＯＷＲは、該ＯＳＢに機械的に結合されており、
該ＯＳＢは、該ＯＦＳに機械的に結合されており、
該ＯＦＳは、該ＯＳＲ、該ＯＰＩ、該ＯＷＲ、および該ＯＳＢを通じて該ＰＥＳによって機械力を印加することによって引き起こされる該ＯＦＳの偏向を測定することによって、該ＯＳＲによって該ＰＥＳに印加される圧力を検知するように構成されており、
該ＬＯＢは、レーザ照射源（ＬＲＳ）を保持するように構成されており、
該ＬＲＳは、該ＯＷＲ、該ＯＷＷ、および該ＥＶＣを通じて該ＰＥＳへとレーザ放射線を方向付けるように構成されており、
該ＣＣＤは、該ＬＲＳの動作を制御し、該ＯＦＳからの圧力読み値を監視し、該ＶＳＰによって該ＰＥＳに印加される真空圧を監視するように構成されている眼科レーザ治療システム。
【請求項２】
前記ＯＳＲが、前記ＯＣＲおよび前記ＣＲＲを接続し、前記ＰＥＳに接触するように構成されている１つまたは複数の半径方向リブをさらに備える請求項１に記載の眼科レーザ治療システム。
【請求項３】
前記ＯＳＲが、前記ＯＣＲおよび前記ＣＲＲを接続し、前記ＰＥＳに接触するように構成されている４つの半径方向リブをさらに備える請求項１に記載の眼科レーザ治療システム。
【請求項４】
前記ＯＥＪが２０ｍｍ〜２５ｍｍの範囲内の長さを有する請求項１に記載の眼科レーザ治療システム。
【請求項５】
前記ＯＥＪが２３ｍｍの長さを有する請求項１に記載の眼科レーザ治療システム。
【請求項６】
前記ＯＥＮが１７ｍｍ〜２１ｍｍの範囲内の長さを有する請求項１に記載の眼科レーザ治療システム。
【請求項７】
前記ＯＥＮが１９ｍｍの長さを有する請求項１に記載の眼科レーザ治療システム。
【請求項８】
前記ＶＳＰが、前記ＯＳＲによって前記ＰＥＳに印加される吸引力を制限するように構成されている真空調整器をさらに備える請求項１に記載の眼科レーザ治療システム。
【請求項９】
前記ＯＰＩが、前記ＰＥＳの被覆範囲からあふれる、前記ＬＩＰから注入されている流体を受け入れるように構成されている液体オーバーフローチャンバ（ＬＯＣ）をさらに備える請求項１に記載の眼科レーザ治療システム。
【請求項１０】
前記ＯＰＩが、前記ＬＯＣによる閉じ込めからあふれる、前記ＬＩＰから注入されている流体を放出するように構成されている液体オーバーフローポート（ＬＯＰ）をさらに備える請求項１に記載の眼科レーザ治療システム。
【請求項１１】
眼科レーザ治療方法であって、該方法は、
（ａ）眼球吸引リング（ＯＳＲ）と、
（ｂ）眼球患者インターフェース（ＯＰＩ）と、
（ｃ）光学窓保持器（ＯＷＲ）と、
（ｄ）光学分別装置ブラケット（ＯＳＢ）と、
（ｅ）眼球力センサ（ＯＦＳ）と、
（ｆ）レーザ対物ブラケット（ＬＯＢ）と、
（ｇ）真空吸引ポンプ（ＶＳＰ）と、
（ｈ）コンピュータ制御デバイス（ＣＣＤ）と
を備える眼科レーザ治療システムを動作させ、
該ＯＳＲは、該ＯＰＩ上の対応する接合接触面（ＭＣＳ）と接合するように構成されている接合接触リング（ＭＣＲ）を備え、
該ＯＳＲは、患者眼表面（ＰＥＳ）と接合するように構成されている外側接触リング（ＯＣＲ）をさらに備え、
該ＯＳＲは、該ＰＥＳと接合するように構成されている内側接触リング（ＩＣＲ）をさらに備え、
該ＯＣＲは、ゼロよりも大きい外側楕円離心率（ＯＥＥ）を有する該ＯＣＲを構成する外側楕円長軸（ＯＥＪ）および外側楕円短軸（ＯＥＮ）を有する外側楕円円筒チューブ（ＯＥＣ）を形成し、
該ＩＣＲは、ゼロよりも大きい内側楕円離心率（ＩＥＥ）を有する該ＩＣＲを構成する内側楕円長軸（ＩＥＪ）および内側楕円短軸（ＩＥＮ）を有する内側楕円円筒チューブ（ＩＥＣ）を形成し、
該ＯＥＪは該ＩＥＪと一致し、
該ＯＥＮは該ＩＥＮと一致し、
該ＯＥＣは、該ＰＥＳに合致するように長手方向に湾曲する外側遠位周縁部（ＯＤＥ）を備え、
該ＩＥＣは、該ＰＥＳに合致するように長手方向に湾曲する内側遠位周縁部（ＩＤＥ）を備え、
該ＰＥＳが該ＯＤＥおよび該ＩＤＥと同時に接触するときに、該ＯＣＲおよび該ＩＣＲは接触リング半径（ＣＲＲ）によってともに結合されて、患者眼真空チャンバ（ＥＶＣ）が形成され、
該ＯＰＩは、該ＯＷＲ上の対応する真空接合面（ＶＭＳ）と接合し、該ＣＭＳと該ＶＭＳとの間に真空ドッキング空隙（ＶＤＶ）を提供するように構成されている円錐状接合面（ＣＭＳ）を備え、
該ＯＰＩは、該ＶＤＶに真空が印加されるときに該ＯＷＲに動的に接合するように構成されており、
該ＯＰＩは、ドッキング真空ポート（ＤＶＰ）、吸引真空ポート（ＳＶＰ）、および液体注入ポート（ＬＩＰ）をさらに備え、
該ＯＰＩは、液体インターフェース窓（ＬＩＷ）を該ＭＣＳと同心に保持するように構成されており、
該ＶＳＰは、該ＤＶＰおよび該ＳＶＰに制御された差動真空を供給するように構成されており、
該ＤＶＰは該ＶＤＶに接続されており、
該ＯＷＲは、該ＯＳＢに機械的に結合されており、
該ＯＳＢは、該ＯＦＳに機械的に結合されており、
該ＯＦＳは、該ＯＳＲ、該ＯＰＩ、該ＯＷＲ、および該ＯＳＢを通じて該ＰＥＳによって機械力を印加することによって引き起こされる該ＯＦＳの偏向を測定することによって、該ＯＳＲによって該ＰＥＳに印加される圧力を検知するように構成されており、
該ＬＯＢは、レーザ照射源（ＬＲＳ）を保持するように構成されており、
該ＬＲＳは、該ＯＷＲ、該ＯＷＷ、および該ＥＶＣを通じて該ＰＥＳへとレーザ放射線を方向付けるように構成されており、
該ＣＣＤは、該ＬＲＳの動作を制御し、該ＯＦＳからの圧力読み値を監視し、該ＶＳＰによって該ＰＥＳに印加される真空圧を監視するように構成されており、
該方法は、
（１）吸引チューブを該ＯＰＩに接続する工程と、
（２）該ＶＳＰに対する真空圧を設定する工程と、
（３）該ＶＳＰを作動させて該ＯＳＲを該ＰＥＳに真空接合する工程と、
（４）該ＯＳＲを該ＰＥＳに接合するように該ＬＰＩを位置決めする工程と、
（５）該ＣＣＤの制御下で、該ＶＳＰに接続されている真空計から得られる真空測定値を読み取ることによって、該ＰＥＳに対する真空圧を監視する工程と、
（６）該ＣＣＤの制御下で、該ＯＦＳによって得られる圧力測定値を読み取ることによって、該ＰＥＳに印加される圧力を監視する工程と、
（７）該ＯＷＲを該ＯＰＩにドッキングする工程と、
（８）該ＶＳＰによってドッキングリング真空を作動させる工程と、
（９）平衡溶液（ＢＬＳ）を該ＯＰＩの該ＬＩＰに注入する工程と、
（１０）該ＣＣＤによって操作され、該ＬＯＢによって位置決めされているレーザ照射源（ＬＲＳ）によって眼科レーザ手術を実施する工程と、
（１１）該ＯＰＩの該ＬＩＰを使用して該ＢＬＳを排出する工程と、
（１２）該ＶＳＰ内のＯＰＩ真空逃がし弁（ＯＰＩ−ＶＲＶ）を開いて該ＯＷＲを該ＯＰＩから係合解除する工程と、
（１３）該ＶＳＰ内のＯＳＲ真空逃がし弁（ＯＳＲ−ＶＲＶ）を開いて該ＯＳＲを該ＰＥＳから係合解除する工程と、
（１４）該ＯＷＲを該ＯＰＩから切り離す工程と、
（１５）該ＯＳＲを該ＰＥＳから切り離す工程と
を含む眼科レーザ治療方法。
【請求項１２】
前記ＯＳＲが、前記ＯＣＲおよび前記ＣＲＲを接続し、前記ＰＥＳに接触するように構成されている１つまたは複数の半径方向リブをさらに備える請求項１１に記載の眼科レーザ治療方法。
【請求項１３】
前記ＯＳＲが、前記ＯＣＲおよび前記ＣＲＲを接続し、前記ＰＥＳに接触するように構成されている４つの半径方向リブをさらに備える請求項１１に記載の眼科レーザ治療方法。
【請求項１４】
前記ＯＥＪが２０ｍｍ〜２５ｍｍの範囲内の長さを有する請求項１１に記載の眼科レーザ治療方法。
【請求項１５】
前記ＯＥＪが２３ｍｍの長さを有する請求項１１に記載の眼科レーザ治療方法。
【請求項１６】
前記ＯＥＮが１７ｍｍ〜２１ｍｍの範囲内の長さを有する請求項１１に記載の眼科レーザ治療方法。
【請求項１７】
前記ＯＥＮが１９ｍｍの長さを有する請求項１１に記載の眼科レーザ治療方法。
【請求項１８】
前記ＶＳＰが、前記ＯＳＲによって前記ＰＥＳに印加される吸引力を制限するように構成されている真空調整器をさらに備える請求項１１に記載の眼科レーザ治療方法。
【請求項１９】
前記ＯＰＩが、前記ＰＥＳの被覆範囲からあふれる、前記ＬＩＰから注入されている流体を受け入れるように構成されている液体オーバーフローチャンバ（ＬＯＣ）をさらに備える請求項１１に記載の眼科レーザ治療方法。
【請求項２０】
前記ＯＰＩが、前記ＬＯＣによる閉じ込めからあふれる、前記ＬＩＰから注入されている流体を放出するように構成されている液体オーバーフローポート（ＬＯＰ）をさらに備える請求項１１に記載の眼科レーザ治療方法。
【請求項２１】
眼科レーザ治療方法を含むコンピュータ可読プログラムコード手段を具現化されている有形非一時的コンピュータ使用可能媒体であって、該方法は、
（ａ）眼球吸引リング（ＯＳＲ）と、
（ｂ）眼球患者インターフェース（ＯＰＩ）と、
（ｃ）光学窓保持器（ＯＷＲ）と、
（ｄ）光学分別装置ブラケット（ＯＳＢ）と、
（ｅ）眼球力センサ（ＯＦＳ）と、
（ｆ）レーザ対物ブラケット（ＬＯＢ）と、
（ｇ）真空吸引ポンプ（ＶＳＰ）と、
（ｈ）コンピュータ制御デバイス（ＣＣＤ）と
を備える眼科レーザ治療システムを動作させ、
該ＯＳＲは、該ＯＰＩ上の対応する接合接触面（ＭＣＳ）と接合するように構成されている接合接触リング（ＭＣＲ）を備え、
該ＯＳＲは、患者眼表面（ＰＥＳ）と接合するように構成されている外側接触リング（ＯＣＲ）をさらに備え、
該ＯＳＲは、該ＰＥＳと接合するように構成されている内側接触リング（ＩＣＲ）をさらに備え、
該ＯＣＲは、ゼロよりも大きい外側楕円離心率（ＯＥＥ）を有する該ＯＣＲを構成する外側楕円長軸（ＯＥＪ）および外側楕円短軸（ＯＥＮ）を有する外側楕円円筒チューブ（ＯＥＣ）を形成し、
該ＩＣＲは、ゼロよりも大きい内側楕円離心率（ＩＥＥ）を有する該ＩＣＲを構成する内側楕円長軸（ＩＥＪ）および内側楕円短軸（ＩＥＮ）を有する内側楕円円筒チューブ（ＩＥＣ）を形成し、
該ＯＥＪは該ＩＥＪと一致し、
該ＯＥＮは該ＩＥＮと一致し、
該ＯＥＣは、該ＰＥＳに合致するように長手方向に湾曲する外側遠位周縁部（ＯＤＥ）を備え、
該ＩＥＣは、該ＰＥＳに合致するように長手方向に湾曲する内側遠位周縁部（ＩＤＥ）を備え、
該ＰＥＳが該ＯＤＥおよび該ＩＤＥと同時に接触するときに、該ＯＣＲおよび該ＩＣＲは接触リング半径（ＣＲＲ）によってともに結合されて、患者眼真空チャンバ（ＥＶＣ）が形成され、
該ＯＰＩは、該ＯＷＲ上の対応する真空接合面（ＶＭＳ）と接合し、該ＣＭＳと該ＶＭＳとの間に真空ドッキング空隙（ＶＤＶ）を提供するように構成されている円錐状接合面（ＣＭＳ）を備え、
該ＯＰＩは、該ＶＤＶに真空が印加されるときに該ＯＷＲに動的に接合するように構成されており、
該ＯＰＩは、ドッキング真空ポート（ＤＶＰ）、吸引真空ポート（ＳＶＰ）、および液体注入ポート（ＬＩＰ）をさらに備え、
該ＯＰＩは、液体インターフェース窓（ＬＩＷ）を該ＭＣＳと同心に保持するように構成されており、
該ＶＳＰは、該ＤＶＰおよび該ＳＶＰに制御された差動真空を供給するように構成されており、
該ＤＶＰは該ＶＤＶに接続されており、
該ＯＷＲは、該ＯＳＢに機械的に結合されており、
該ＯＳＢは、該ＯＦＳに機械的に結合されており、
該ＯＦＳは、該ＯＳＲ、該ＯＰＩ、該ＯＷＲ、および該ＯＳＢを通じて該ＰＥＳによって機械力を印加することによって引き起こされる該ＯＦＳの偏向を測定することによって、該ＯＳＲによって該ＰＥＳに印加される圧力を検知するように構成されており、
該ＬＯＢは、レーザ照射源（ＬＲＳ）を保持するように構成されており、
該ＬＲＳは、該ＯＷＲ、該ＯＷＷ、および該ＥＶＣを通じて該ＰＥＳへとレーザ放射線を方向付けるように構成されており、
該ＣＣＤは、該ＬＲＳの動作を制御し、該ＯＦＳからの圧力読み値を監視し、該ＶＳＰによって該ＰＥＳに印加される真空圧を監視するように構成されており、
該方法は、
（１）吸引チューブを該ＯＰＩに接続する工程と、
（２）該ＶＳＰに対する真空圧を設定する工程と、
（３）該ＶＳＰを作動させて該ＯＳＲを該ＰＥＳに真空接合する工程と、
（４）該ＯＳＲを該ＰＥＳに接合するように該ＬＰＩを位置決めする工程と、
（５）該ＣＣＤの制御下で、該ＶＳＰに接続されている真空計から得られる真空測定値を読み取ることによって、該ＰＥＳに対する真空圧を監視する工程と、
（６）該ＣＣＤの制御下で、該ＯＦＳによって得られる圧力測定値を読み取ることによって、該ＰＥＳに印加される圧力を監視する工程と、
（７）該ＯＷＲを該ＯＰＩにドッキングする工程と、
（８）該ＶＳＰによってドッキングリング真空を作動させる工程と、
（９）平衡溶液（ＢＬＳ）を該ＯＰＩの該ＬＩＰに注入する工程と、
（１０）該ＣＣＤによって操作され、該ＬＯＢによって位置決めされているレーザ照射源（ＬＲＳ）によって眼科レーザ手術を実施する工程と、
（１１）該ＯＰＩの該ＬＩＰを使用して該ＢＬＳを排出する工程と、
（１２）該ＶＳＰ内のＯＰＩ真空逃がし弁（ＯＰＩ−ＶＲＶ）を開いて該ＯＷＲを該ＯＰＩから係合解除する工程と、
（１３）該ＶＳＰ内のＯＳＲ真空逃がし弁（ＯＳＲ−ＶＲＶ）を開いて該ＯＳＲを該ＰＥＳから係合解除する工程と、
（１４）該ＯＷＲを該ＯＰＩから切り離す工程と、
（１５）該ＯＳＲを該ＰＥＳから切り離す工程と
を含む有形非一時的コンピュータ使用可能媒体。
【請求項２２】
前記ＯＳＲが、前記ＯＣＲおよび前記ＣＲＲを接続し、前記ＰＥＳに接触するように構成されている１つまたは複数の半径方向リブをさらに備える請求項２１に記載のコンピュータ使用可能媒体。
【請求項２３】
前記ＯＳＲが、前記ＯＣＲおよび前記ＣＲＲを接続し、前記ＰＥＳに接触するように構成されている４つの半径方向リブをさらに備える請求項２１に記載のコンピュータ使用可能媒体。
【請求項２４】
前記ＯＥＪが２０ｍｍ〜２５ｍｍの範囲内の長さを有する請求項２１に記載のコンピュータ使用可能媒体。
【請求項２５】
前記ＯＥＪが２３ｍｍの長さを有する請求項２１に記載のコンピュータ使用可能媒体。
【請求項２６】
前記ＯＥＮが１７ｍｍ〜２１ｍｍの範囲内の長さを有する請求項２１に記載のコンピュータ使用可能媒体。
【請求項２７】
前記ＯＥＮが１９ｍｍの長さを有する請求項２１に記載のコンピュータ使用可能媒体。
【請求項２８】
前記ＶＳＰが、前記ＯＳＲによって前記ＰＥＳに印加される吸引力を制限するように構成されている真空調整器をさらに備える請求項２１に記載のコンピュータ使用可能媒体。
【請求項２９】
前記ＯＰＩが、前記ＰＥＳの被覆範囲からあふれる、前記ＬＩＰから注入されている流体を受け入れるように構成されている液体オーバーフローチャンバ（ＬＯＣ）をさらに備える請求項２１に記載のコンピュータ使用可能媒体。
【請求項３０】
前記ＯＰＩが、前記ＬＯＣによる閉じ込めからあふれる、前記ＬＩＰから注入されている流体を放出するように構成されている液体オーバーフローポート（ＬＯＰ）をさらに備える請求項２１に記載のコンピュータ使用可能媒体。
【発明の詳細な説明】
【技術分野】
【０００１】
本発明は、概して、レーザ眼科手術を実施するためのシステムおよび方法に関し、特に、楕円形の眼球吸引リング（ＯＳＲ：ｏｃｕｌａｒ  ｓｕｃｔｉｏｎ  ｒｉｎｇ）を使用した患者眼表面（ＰＥＳ：ｐａｔｉｅｎｔ  ｅｙｅ  ｓｕｒｆａｃｅ）との液体光学インターフェース（ＬＯＩ：ｌｉｑｕｉｄ  ｏｐｔｉｃａｌ  ｉｎｔｅｒｆａｃｅ）の生成に関する。
【背景技術】
【０００２】
概説
眼科レーザ手術に使用するための既存の液体患者インターフェース（ＬＰＩ：ｌｉｑｕｉｄ  ｐａｔｉｅｎｔ  ｉｎｔｅｒｆａｃｅ）は、患者眼表面（ＰＥＳ）に接続する円形末端部を用いて設計されている。円形アタッチメントの直径は通常、１８ｍｍ〜２４ｍｍに及ぶ。この設計は、ＰＥＳの小さい取り付け領域に沿って不均一は圧力をもたらす。円形設計は、眼瞼開裂が小さいことに起因して角膜露出が制限されており、患者眼科レーザ治療中に開瞼器を適用することを必要とする患者にとって、問題を生じる。
【０００３】
例えば、「眼科レーザ処置のための液体保持インターフェースデバイス（ＬＩＱＵＩＤ  ＨＯＬＤＩＮＧ  ＩＮＴＥＲＦＡＣＥ  ＤＥＶＩＣＥ  ＦＯＲ  ＯＰＨＴＨＡＬＭＩＣ  ＬＡＳＥＲ  ＰＲＯＣＥＤＵＲＥＳ）」に関する特許文献１は、リング形状の患者インターフェース設計を開示している。眼球運動の低減および患者快適性のいずれも、既存の液体患者インターフェースの関心事ではない。
従来技術の欠陥
上記で詳述したような従来技術には、以下の欠陥がある。
【０００４】
従来技術の眼科レーザ治療システムおよび方法は、ＬＰＩを、ＰＥＳに接続されている円形形状の末端部に限定し、これは、多数の患者への使用を除外する。
従来技術の眼科レーザ治療システムおよび方法は、ＰＥＳ運動安定化を可能にするが、依然として、衝動性眼球運動がＰＥＳ上の標的領域に影響を及ぼすことを許容してしまう。衝動性眼球運動は、同じ方向における２つの固定段階の間の、両方の眼球の迅速な同時の運動を構成する。
【０００５】
従来技術の眼科レーザ治療システムおよび方法が提供するインターフェースでは、圧力が、眼球に対するアタッチメントの縁部に沿って不均一である。
従来技術の眼科レーザ治療システムおよび方法が提供するアタッチメントのバンドは幅が狭く、レーザ治療中に患者に不快感を与える。
【０００６】
従来技術の眼科レーザ治療システムおよび方法が提供するＰＥＳインターフェースでは、ＰＥＳの１つの領域にしか吸引が適用されない。
従来技術のいくつかは、これらの問題のいくつかに対する何らかの解決策を教示し得るが、眼科レーザ処置に使用するための快適で効率的な普遍的ＬＰＩを提供するという革新的な課題は、従来技術によっては解決されていない。
【先行技術文献】
【特許文献】
【０００７】
【特許文献１】米国特許出願公開第２０１１／００２２０３５号明細書
【発明の概要】
【発明が解決しようとする課題】
【０００８】
したがって、本発明の目的は、（とりわけ）従来技術の欠陥を回避し、眼科レーザ治療システムおよび方法のコンテキストにおいて以下の目的に働きかけることである。
（１）眼科レーザ治療の間により大きい患者快適性を可能にする眼科レーザ治療システムおよび方法を提供すること。
【０００９】
（２）眼科レーザ治療の間にＰＥＳに対する表面圧力を低減する眼科レーザ治療システムおよび方法を提供すること。
（３）眼科レーザ治療の間により大きいＰＥＳ安定性をもたらす眼科レーザ治療システムおよび方法を提供すること。
【００１０】
（４）広範な患者眼球サイズに対応する眼科レーザ治療システムおよび方法を提供すること。
（５）ＰＥＳのより広い領域にわたってシステムの接触圧を分散させる眼科レーザ治療システムおよび方法を提供すること。
【００１１】
（６）眼科レーザ治療の間にＰＥＳの液体被覆率を制御することを可能にする眼科レーザ治療システムおよび方法を提供すること。
（７）角膜折れに起因するＰＥＳ損傷の事例を低減するために、眼科レーザ治療の間にＰＥＳに対する制御された圧力の印加を可能にする眼科レーザ治療システムおよび方法を提供すること。
【００１２】
（８）眼科レーザ治療の間に衝動性眼球運動の影響を最小限に抑える眼科レーザ治療システムおよび方法を提供すること。
（９）広範なＰＥＳ表面形態に対する精密で安定した結合を可能にする眼科レーザ治療システムおよび方法を提供すること。
【００１３】
（１０）眼科レーザ治療の間にＰＥＳに対する圧力の印加を制御することによって出血および角膜折れ（浮腫）の可能性を低減することを可能にする眼科レーザ治療システムおよび方法を提供すること。
【００１４】
これらの目的は、本発明の教示を限定するものとして理解されるべきではないが、一般に、これらの目的は、部分的にまたは全体的に、以下の節において論じられる、開示される発明によって達成される。当業者であれば間違いなく、上述の目的の任意の組み合わせに働きかけるために、開示されているものとしての本発明の態様を選択することが可能である。
【課題を解決するための手段】
【００１５】
本発明は、眼科レーザ手術に使用するための液体患者インターフェース（ＬＰＩ）を提供する。ＬＰＩは、患者眼表面（ＰＥＳ）に付着し、医師が、眼球の内部の様々な部分（例えば、角膜、水晶体、および網膜）に対して様々な処置を実施することを可能にする。本発明のＬＰＩの利点は以下のとおりである。
【００１６】
（１）新規の光学吸引リング（ＯＳＲ：ｏｐｔｉｃａｌ  ｓｕｃｔｉｏｎ  ｒｉｎｇ）内の内側および外側のＰＥＳコンタクトの固有の設計を使用することによって、ＬＰＩはＰＥＳのより大きい表面積と接続する。
【００１７】
（２）瞼の幅が狭く、眼球表面が露出する量がより少ない患者にとって最適にＰＥＳに接触するように設計された楕円形で、ＯＳＲが設計される。
（３）ＬＰＩは、２つのＯＳＲ楕円形イーターフェースコンタクトの間の内部吸引領域（ＩＳＲ：ｉｎｔｅｒｉｏｒ  ｓｕｃｔｉｏｎ  ｒｅｇｉｏｎ）を使用することによって、ＰＥＳの力を最小限に抑える。
【００１８】
（４）ＯＳＲ内の半径方向リブが、ＯＳＲの内側リングおよび外側リングを接続し、ＰＥＳに接触してＰＥＳに対する吸引圧力を均一に分散させるように構成される。
（５）ＯＳＲ全体を通じた一定の圧力およびより大きい表面積が、レーザ治療の間に衝動性眼球運動を低減する。
【００１９】
（６）楕円形状、より低い圧力、圧力の均質な印加が、眼科レーザ処置中に患者をより快適にすることができる。
（７）ＬＰＩは、使い捨て光学患者インターフェース（ＯＰＩ：ｏｐｔｉｃａｌ  ｐａｔｉｅｎｔ  ｉｎｔｅｒｆａｃｅ）真空ドッキングシステムを利用して、ＯＳＲのような１回使用構成要素と、レーザ電子機器のようなシステムの多回使用構成要素とを接合し、したがって、ＰＥＳに接触する機器の殺菌を可能にする。
【００２０】
（８）ＯＰＩは、ＯＰＩとＯＳＲとの間、および、ＯＰＩとシステムの多回使用部分との間に差動真空接合（ＤＶＭ：ｄｉｆｆｅｒｅｎｔｉａｌ  ｖａｃｕｕｍ  ｍａｔｉｎｇ）を提供し、したがって、ＰＥＳに印加されることになる真空力を制御することを可能にする。
【００２１】
（９）ＯＰＩは、ＰＥＳが流体によって被覆されることを可能にする液体注入ポート（ＬＩＰ：ｌｉｑｕｉｄ  ｉｎｊｅｃｔｉｏｎ  ｐｏｒｔ）を提供し、また、レーザ治療処置中にＰＥＳを被覆する液位を調整するための液体オーバーフローチャンバ（ＬＯＣ：ｌｉｑｕｉｄ  ｏｖｅｒｆｌｏｗ  ｃｈａｍｂｅｒ）および液体オーバーフローポート（ＬＯＰ：ｌｉｑｕｉｄ  ｏｖｅｒｆｌｏｗ  ｐｏｒｔ）を提供する。
【００２２】
（１０）システムは、レーザ治療処置中に、ＰＥＳに印加される圧力が制御されることを可能にする眼球力センサ（ＯＦＳ：ｏｃｕｌａｒ  ｆｏｒｃｅ  ｓｅｎｓｏｒ）をサポートし、したがって、ＰＥＳの損傷および場合によっては角膜折れの機会を低減する。
【００２３】
本発明はいくつかの実施形態においてはまた、眼科レーザ治療処置の間に眼球力／圧力、ＯＳＲ吸引真空、およびレーザ照射源（ＬＲＳ：ｌａｓｅｒ  ｒａｄｉａｔｉｏｎ  ｓｏｕｒｃｅ）の位置を監視するためにコンピューティング制御デバイス（ＣＣＤ：ｃｏｍｐｕｔｉｎｇ  ｃｏｎｔｒｏｌ  ｄｅｖｉｃｅ）によって増強することもできる。
【００２４】
本発明によって提供される利点のより完全な理解のために、添付の図面とともに以下の詳細な説明を参照するものとする。
【図面の簡単な説明】
【００２５】
【図１】本発明の好ましい例示的なシステム実施形態を示すブロック図。
【図２】好ましい例示的な本発明のＬＰＩ実施形態のいくつかの主要な構成要素の斜視図。
【図３】好ましい例示的な本発明の方法実施形態を示す流れ図（ページ１／２）。
【図４】好ましい例示的な本発明の方法実施形態を示す流れ図（ページ２／２）。
【図５】好ましい例示的な本発明のＬＰＩシステム実施形態の右上正面斜視図。
【図６】好ましい例示的な本発明のＬＰＩシステム実施形態の右上背面斜視図。
【図７】好ましい例示的な本発明のＬＰＩシステム実施形態の左上背面斜視図。
【図８】好ましい例示的な本発明のＬＰＩシステム実施形態の左上正面斜視図。
【図９】好ましい例示的な本発明のＬＰＩシステム実施形態の右下正面斜視図。
【図１０】好ましい例示的な本発明のＬＰＩシステム実施形態の右下背面斜視図。
【図１１】好ましい例示的な本発明のＬＰＩシステム実施形態の左下背面斜視図。
【図１２】好ましい例示的な本発明のＬＰＩシステム実施形態の左下正面斜視図。
【図１３】ＯＦＳ電子機器が示されている、好ましい例示的な本発明のＬＰＩシステム実施形態の正面図。
【図１４】ＯＦＳ電子機器が示されている、好ましい例示的な本発明のＬＰＩシステム実施形態の背面図。
【図１５】ＯＦＳ電子機器が省かれている、好ましい例示的な本発明のＬＰＩシステム実施形態の右側面図。
【図１６】ＯＦＳ電子機器が省かれている、好ましい例示的な本発明のＬＰＩシステム実施形態の底面図。
【図１７】好ましい例示的な本発明の光路ＬＰＩ実施形態の右上正面斜視組み立て図。
【図１８】好ましい例示的な本発明の光路ＬＰＩ実施形態の右上正面斜視右側断面組み立て図。
【図１９】好ましい例示的な本発明の光路ＬＰＩ実施形態の左上正面斜視組み立て図。
【図２０】好ましい例示的な本発明の光路ＬＰＩ実施形態の左上正面斜視左側断面組み立て図。
【図２１】光学窓保持器（ＯＷＲ：ｏｐｔｉｃａｌ  ｗｉｎｄｏｗ  ｒｅｔａｉｎｅｒ）、ＯＰＩ、ＯＳＲ、およびＰＥＳの間の一般的な接合を示す、好ましい例示的な本発明の実施形態の右上正面斜視右側断面詳細図。
【図２２】ＯＷＲ、ＯＰＩ、ＯＳＲ、およびＰＥＳの間の一般的な接合を示す、好ましい例示的な本発明の実施形態の右側断面詳細図。
【図２３】ＯＷＲ、ＯＰＩ、ＯＳＲ、およびＰＥＳの間の一般的な接合を示す、好ましい例示的な本発明の実施形態の右上正面斜視上側断面詳細図。
【図２４】ＯＷＲ、ＯＰＩ、ＯＳＲ、およびＰＥＳの間の一般的な接合を示す、好ましい例示的な本発明の実施形態の上側断面詳細図。
【図２５】多くの好ましい本発明の実施形態において有用な例示的な真空吸引ポンプ（ＶＳＰ：ｖａｃｕｕｍ  ｓｕｃｔｉｏｎ  ｐｕｍｐ）実施態様を示す概略図。
【図２６】多くの好ましい本発明の実施形態において有用な好ましい例示的なＶＳＰ制御備品の右上正面斜視図。
【図２７】多くの好ましい本発明の実施形態において有用な好ましい例示的なＶＳＰ制御備品（カバーが取り外されている）の左上背面斜視図。
【図２８】多くの好ましい本発明の実施形態において有用な好ましい例示的なＶＳＰ制御備品の正面図。
【図２９】多くの好ましい本発明の実施形態において有用な好ましい例示的なＶＳＰ制御備品（カバーが取り外されている）の上面図。
【図３０】本発明によって使用するのに適した真空ポンプの一般的な物理的構成を示す図。
【図３１】本発明を実施するのに適した一般的な真空ポンプ性能特性を示す図。
【図３２】本発明を実施するのに適した一般的な真空ポンプ性能特性を示す図。
【図３３】いくつかの本発明の構成において有用な好ましい例示的なレーザ対物ブラケット（ＬＯＢ：ｌａｓｅｒ  ｏｂｊｅｃｔｉｖｅ  ｂｒａｃｋｅｔ）実施形態の右上正面斜視図。
【図３４】いくつかの本発明の構成において有用な好ましい例示的なレーザ対物ブラケット（ＬＯＢ）実施形態の右上背面斜視図。
【図３５】いくつかの本発明の構成において有用な好ましい例示的なレーザ対物ブラケット（ＬＯＢ）実施形態の左上背面斜視図。
【図３６】いくつかの本発明の構成において有用な好ましい例示的なレーザ対物ブラケット（ＬＯＢ）実施形態の左上正面斜視図。
【図３７】いくつかの本発明の構成において有用な好ましい例示的なレーザ対物ブラケット（ＬＯＢ）実施形態の右下正面斜視図。
【図３８】いくつかの本発明の構成において有用な好ましい例示的なレーザ対物ブラケット（ＬＯＢ）実施形態の右下背面斜視図。
【図３９】いくつかの本発明の構成において有用な好ましい例示的なレーザ対物ブラケット（ＬＯＢ）実施形態の左下背面斜視図。
【図４０】いくつかの本発明の構成において有用な好ましい例示的なレーザ対物ブラケット（ＬＯＢ）実施形態の左下正面斜視図。
【図４１】いくつかの本発明の構成において有用な好ましい例示的なレーザ対物ブラケット（ＬＯＢ）実施形態の正面図。
【図４２】いくつかの本発明の構成において有用な好ましい例示的なレーザ対物ブラケット（ＬＯＢ）実施形態の背面図。
【図４３】いくつかの本発明の構成において有用な好ましい例示的なレーザ対物ブラケット（ＬＯＢ）実施形態の左側面図。
【図４４】いくつかの本発明の構成において有用な好ましい例示的なレーザ対物ブラケット（ＬＯＢ）実施形態の右側面図。
【図４５】いくつかの本発明の構成において有用な好ましい例示的なレーザ対物ブラケット（ＬＯＢ）実施形態の上面図。
【図４６】いくつかの本発明の構成において有用な好ましい例示的なレーザ対物ブラケット（ＬＯＢ）実施形態の底面図。
【図４７】いくつかの本発明の構成において有用な好ましい例示的なレーザ対物ブラケット（ＬＯＢ）実施形態の右側断面斜視図。
【図４８】いくつかの本発明の構成において有用な好ましい例示的なレーザ対物ブラケット（ＬＯＢ）実施形態の正面断面斜視図。
【図４９】いくつかの本発明の構成において有用な好ましい例示的な眼球力センサ（ＯＦＳ）実施形態の右上正面斜視図。
【図５０】いくつかの本発明の構成において有用な好ましい例示的な眼球力センサ（ＯＦＳ）実施形態の右上背面斜視図。
【図５１】いくつかの本発明の構成において有用な好ましい例示的な眼球力センサ（ＯＦＳ）実施形態の左上背面斜視図。
【図５２】いくつかの本発明の構成において有用な好ましい例示的な眼球力センサ（ＯＦＳ）実施形態の左上正面斜視図。
【図５３】いくつかの本発明の構成において有用な好ましい例示的な眼球力センサ（ＯＦＳ）実施形態の右下正面斜視図。
【図５４】いくつかの本発明の構成において有用な好ましい例示的な眼球力センサ（ＯＦＳ）実施形態の右下背面斜視図。
【図５５】いくつかの本発明の構成において有用な好ましい例示的な眼球力センサ（ＯＦＳ）実施形態の左下背面斜視図。
【図５６】いくつかの本発明の構成において有用な好ましい例示的な眼球力センサ（ＯＦＳ）実施形態の左下正面斜視図。
【図５７】いくつかの本発明の構成において有用な好ましい例示的な眼球力センサ（ＯＦＳ）実施形態の正面図。
【図５８】いくつかの本発明の構成において有用な好ましい例示的な眼球力センサ（ＯＦＳ）実施形態の背面図。
【図５９】いくつかの本発明の構成において有用な好ましい例示的な眼球力センサ（ＯＦＳ）実施形態の左側面図。
【図６０】いくつかの本発明の構成において有用な好ましい例示的な眼球力センサ（ＯＦＳ）実施形態の右側面図。
【図６１】いくつかの本発明の構成において有用な好ましい例示的な眼球力センサ（ＯＦＳ）実施形態の上面図。
【図６２】いくつかの本発明の構成において有用な好ましい例示的な眼球力センサ（ＯＦＳ）実施形態の底面図。
【図６３】いくつかの本発明の構成において有用な好ましい例示的な眼球力センサ（ＯＦＳ）実施形態の右側断面斜視図。
【図６４】いくつかの本発明の構成において有用な好ましい例示的な眼球力センサ（ＯＦＳ）実施形態の上側断面斜視図。
【図６５】いくつかの本発明の構成において有用な好ましい例示的な光学分別装置ブラケット（ＯＳＢ：ｏｐｔｉｃａｌ  ｓｅｐａｒａｔｏｒ  ｂｒａｃｋｅｔ）実施形態の右上正面斜視図。
【図６６】いくつかの本発明の構成において有用な好ましい例示的な光学分別装置ブラケット（ＯＳＢ）実施形態の右上背面斜視図。
【図６７】いくつかの本発明の構成において有用な好ましい例示的な光学分別装置ブラケット（ＯＳＢ）実施形態の左上背面斜視図。
【図６８】いくつかの本発明の構成において有用な好ましい例示的な光学分別装置ブラケット（ＯＳＢ）実施形態の左上正面斜視図。
【図６９】いくつかの本発明の構成において有用な好ましい例示的な光学分別装置ブラケット（ＯＳＢ）実施形態の右下正面斜視図。
【図７０】いくつかの本発明の構成において有用な好ましい例示的な光学分別装置ブラケット（ＯＳＢ）実施形態の右下背面斜視図。
【図７１】いくつかの本発明の構成において有用な好ましい例示的な光学分別装置ブラケット（ＯＳＢ）実施形態の左下背面斜視図。
【図７２】いくつかの本発明の構成において有用な好ましい例示的な光学分別装置ブラケット（ＯＳＢ）実施形態の左下正面斜視図。
【図７３】いくつかの本発明の構成において有用な好ましい例示的な光学分別装置ブラケット（ＯＳＢ）実施形態の正面図。
【図７４】いくつかの本発明の構成において有用な好ましい例示的な光学分別装置ブラケット（ＯＳＢ）実施形態の背面図。
【図７５】いくつかの本発明の構成において有用な好ましい例示的な光学分別装置ブラケット（ＯＳＢ）実施形態の左側面図。
【図７６】いくつかの本発明の構成において有用な好ましい例示的な光学分別装置ブラケット（ＯＳＢ）実施形態の右側面図。
【図７７】いくつかの本発明の構成において有用な好ましい例示的な光学分別装置ブラケット（ＯＳＢ）実施形態の上面図。
【図７８】いくつかの本発明の構成において有用な好ましい例示的な光学分別装置ブラケット（ＯＳＢ）実施形態の底面図。
【図７９】いくつかの本発明の構成において有用な好ましい例示的な光学分別装置ブラケット（ＯＳＢ）実施形態の右側断面斜視図。
【図８０】いくつかの本発明の構成において有用な好ましい例示的な光学分別装置ブラケット（ＯＳＢ）実施形態の正面断面斜視図。
【図８１】いくつかの本発明の構成において有用な好ましい例示的な光学窓保持器（ＯＷＲ）実施形態の右上正面斜視図。
【図８２】いくつかの本発明の構成において有用な好ましい例示的な光学窓保持器（ＯＷＲ）実施形態の右上背面斜視図。
【図８３】いくつかの本発明の構成において有用な好ましい例示的な光学窓保持器（ＯＷＲ）実施形態の左上背面斜視図。
【図８４】いくつかの本発明の構成において有用な好ましい例示的な光学窓保持器（ＯＷＲ）実施形態の左上正面斜視図。
【図８５】いくつかの本発明の構成において有用な好ましい例示的な光学窓保持器（ＯＷＲ）実施形態の右下正面斜視図。
【図８６】いくつかの本発明の構成において有用な好ましい例示的な光学窓保持器（ＯＷＲ）実施形態の右下背面斜視図。
【図８７】いくつかの本発明の構成において有用な好ましい例示的な光学窓保持器（ＯＷＲ）実施形態の左下背面斜視図。
【図８８】いくつかの本発明の構成において有用な好ましい例示的な光学窓保持器（ＯＷＲ）実施形態の左下正面斜視図。
【図８９】いくつかの本発明の構成において有用な好ましい例示的な光学窓保持器（ＯＷＲ）実施形態の正面図。
【図９０】いくつかの本発明の構成において有用な好ましい例示的な光学窓保持器（ＯＷＲ）実施形態の背面図。
【図９１】いくつかの本発明の構成において有用な好ましい例示的な光学窓保持器（ＯＷＲ）実施形態の左側面図。
【図９２】いくつかの本発明の構成において有用な好ましい例示的な光学窓保持器（ＯＷＲ）実施形態の右側面図。
【図９３】いくつかの本発明の構成において有用な好ましい例示的な光学窓保持器（ＯＷＲ）実施形態の上面図。
【図９４】いくつかの本発明の構成において有用な好ましい例示的な光学窓保持器（ＯＷＲ）実施形態の底面図。
【図９５】いくつかの本発明の構成において有用な好ましい例示的な光学窓保持器（ＯＷＲ）実施形態の右側断面斜視図。
【図９６】いくつかの本発明の構成において有用な好ましい例示的な光学窓保持器（ＯＷＲ）実施形態の上側断面斜視図。
【図９７】いくつかの本発明の構成において有用な好ましい例示的な眼球患者インターフェース（ＯＰＩ：ｏｃｕｌａｒ  ｐａｔｉｅｎｔ  ｉｎｔｅｒｆａｃｅ）実施形態の右上正面斜視図。
【図９８】いくつかの本発明の構成において有用な好ましい例示的な眼球患者インターフェース（ＯＰＩ）実施形態の右上背面斜視図。
【図９９】いくつかの本発明の構成において有用な好ましい例示的な眼球患者インターフェース（ＯＰＩ）実施形態の左上背面斜視図。
【図１００】いくつかの本発明の構成において有用な好ましい例示的な眼球患者インターフェース（ＯＰＩ）実施形態の左上正面斜視図。
【図１０１】いくつかの本発明の構成において有用な好ましい例示的な眼球患者インターフェース（ＯＰＩ）実施形態の右下正面斜視図。
【図１０２】いくつかの本発明の構成において有用な好ましい例示的な眼球患者インターフェース（ＯＰＩ）実施形態の右下背面斜視図。
【図１０３】いくつかの本発明の構成において有用な好ましい例示的な眼球患者インターフェース（ＯＰＩ）実施形態の左下背面斜視図。
【図１０４】いくつかの本発明の構成において有用な好ましい例示的な眼球患者インターフェース（ＯＰＩ）実施形態の左下正面斜視図。
【図１０５】いくつかの本発明の構成において有用な好ましい例示的な眼球患者インターフェース（ＯＰＩ）実施形態の正面図。
【図１０６】いくつかの本発明の構成において有用な好ましい例示的な眼球患者インターフェース（ＯＰＩ）実施形態の背面図。
【図１０７】いくつかの本発明の構成において有用な好ましい例示的な眼球患者インターフェース（ＯＰＩ）実施形態の左側面図。
【図１０８】いくつかの本発明の構成において有用な好ましい例示的な眼球患者インターフェース（ＯＰＩ）実施形態の右側面図。
【図１０９】いくつかの本発明の構成において有用な好ましい例示的な眼球患者インターフェース（ＯＰＩ）実施形態の上面図。
【図１１０】いくつかの本発明の構成において有用な好ましい例示的な眼球患者インターフェース（ＯＰＩ）実施形態の底面図。
【図１１１】いくつかの本発明の構成において有用な好ましい例示的な眼球患者インターフェース（ＯＰＩ）実施形態の右側断面斜視図。
【図１１２】いくつかの本発明の構成において有用な好ましい例示的な眼球患者インターフェース（ＯＰＩ）実施形態の上側断面斜視図。
【図１１３】いくつかの本発明の構成において有用な好ましい例示的な眼球吸引リング（ＯＳＲ）実施形態の右上正面斜視図。
【図１１４】いくつかの本発明の構成において有用な好ましい例示的な眼球吸引リング（ＯＳＲ）実施形態の右上背面斜視図。
【図１１５】いくつかの本発明の構成において有用な好ましい例示的な眼球吸引リング（ＯＳＲ）実施形態の左上背面斜視図。
【図１１６】いくつかの本発明の構成において有用な好ましい例示的な眼球吸引リング（ＯＳＲ）実施形態の左上正面斜視図。
【図１１７】いくつかの本発明の構成において有用な好ましい例示的な眼球吸引リング（ＯＳＲ）実施形態の右下正面斜視図。
【図１１８】いくつかの本発明の構成において有用な好ましい例示的な眼球吸引リング（ＯＳＲ）実施形態の右下背面斜視図。
【図１１９】いくつかの本発明の構成において有用な好ましい例示的な眼球吸引リング（ＯＳＲ）実施形態の左下背面斜視図。
【図１２０】いくつかの本発明の構成において有用な好ましい例示的な眼球吸引リング（ＯＳＲ）実施形態の左下正面斜視図。
【図１２１】いくつかの本発明の構成において有用な好ましい例示的な眼球吸引リング（ＯＳＲ）実施形態の正面図。
【図１２２】いくつかの本発明の構成において有用な好ましい例示的な眼球吸引リング（ＯＳＲ）実施形態の背面図。
【図１２３】いくつかの本発明の構成において有用な好ましい例示的な眼球吸引リング（ＯＳＲ）実施形態の左側面図。
【図１２４】いくつかの本発明の構成において有用な好ましい例示的な眼球吸引リング（ＯＳＲ）実施形態の右側面図。
【図１２５】いくつかの本発明の構成において有用な好ましい例示的な眼球吸引リング（ＯＳＲ）実施形態の上面図。
【図１２６】いくつかの本発明の構成において有用な好ましい例示的な眼球吸引リング（ＯＳＲ）実施形態の底面図。
【図１２７】いくつかの本発明の構成において有用な好ましい例示的な眼球吸引リング（ＯＳＲ）実施形態の右側断面斜視図。
【図１２８】いくつかの本発明の構成において有用な好ましい例示的な眼球吸引リング（ＯＳＲ）実施形態の上側断面斜視図。
【発明を実施するための形態】
【００２６】
本発明は多くの異なる形態の実施形態を受け入れる余地があるが、本開示は本発明の原理の例示として考えられるべきであり、本発明の広い態様を図示されている実施形態に限定するようには意図されていないという理解の下、本発明の好ましい実施形態が図面に示され、本発明において詳細に説明される。
【００２７】
本出願の多数の発明的教示は、現在好ましい実施形態を特に参照して説明され、これらの発明的教示は、有利には、「眼科レーザ治療システムおよび方法」の特定の課題に適用される。しかしながら、この実施形態は、本明細書における発明的教示の多くの有利な使用の１例に過ぎないことは理解されたい。一般に、本出願の明細書において為されている陳述は、必ずしも、様々な特許請求されている発明のいずれかを限定するものではない。その上、一部の陳述は、他の特徴ではなく、本発明の一部の特徴に適用され得る。
楕円の定義
本発明は、患者眼表面（ＰＥＳ）と接触するために、楕円眼球吸引リング（ＯＳＲ）を利用する。「楕円」という用語は、以下の数学的定義を有する。
【００２８】
数学において、楕円とは、２つの焦点までの距離の合計が曲線上のすべての点について一定であるような、２つの焦点を囲む平面上の曲線である。したがって、これは、同じ位置に両方の焦点を有する特別なタイプの楕円である円の一般化である。楕円の形状（楕円がどれだけ「細長い」か）は、その離心率によって表され、離心率は、楕円については、０（円の限定的な事例）から１に任意に近いが１未満である任意の数であり得る。
【００２９】
楕円は、それを中心として楕円が対称である、２つの直交する軸を有する。これらの軸は、この対称性に起因して楕円の中心において交差する。楕円上の対蹠点の間のより長い距離に対応する、これら２つの軸のうちの長い方は、長軸と呼ばれる。楕円上の対蹠点の間のより短い距離に対応する、これら２つの軸のうちの短い方は、短軸と呼ばれる。
【００３０】
しかしながら、本発明の文脈の中で、「楕円」および「楕円形」という用語は、ゼロよりも大きい離心率を有する楕円に限定されるものとする。これらの状況において、楕円長軸は、楕円短軸よりも大きい長さを有する。
図示されている機械的特徴は限定ではない
本発明は、様々な異なる応用コンテキストにおいて実施することができる広範な機械的特徴を組み込むことができる。本明細書に与えられている描写は、１つの好ましい例示的な本発明の実施形態の例示に過ぎず、本発明の範囲を限定するものではない。
概説
図１（０１００）および図２（０２００）に全般的に示すように、本発明は、人間の眼の眼球レーザ治療を実施するのに有用な液体光学インターフェース（ＬＯＩ）を実装する。ＬＯＩインターフェースは、レーザ照射源（ＬＲＳ）と接合するアセンブリ、および、患者眼表面（ＰＥＳ）に真空接合する他のアセンブリから構成される。
【００３１】
１つのＬＲＳアセンブリが、レーザ対物ブラケット（ＬＯＢ）を使用することによって、レーザの対物レンズに付着する。ＬＯＢは、光学力センサ（ＯＦＳ）に接続され、ＯＦＳは、光学分別装置ブラケット（ＯＳＢ）を介して光学窓保持器（ＯＷＲ）にさらに接続される。ＯＳＢはＯＦＳとともに、ＰＥＳに印加される圧力を監視し、したがって、患者に対する可能性のある傷害を防止するための機構を提供する。
【００３２】
ＯＷＲは、ＰＥＳに直に接触する眼球吸引リング（ＯＳＲ）と接合する眼球患者インターフェース（ＯＰＩ）に真空結合するように構成されている。ＯＳＲとＯＰＩとの間の積極的な接触が、ＯＰＩに供給され、ＯＰＩによってＯＳＲに供給される補助的な差動真空制御によって維持される。
【００３３】
ＯＰＩがＯＷＲおよびＰＥＳに真空結合されると、ＯＰＩに流体を注入して、ＰＥＳを被覆し、患者の眼科レーザ治療を実施することができる一定の屈折率を提供することができる。ＯＰＩによって圧入懸架されて保持される平面レンズが注入される液体を被覆してこれに接触して、レーザ放射線が患者の眼に入ることができる均一な平面を提供する。
【００３４】
ＯＳＲおよびＯＰＩは、本明細書において示されているように、圧入周縁円筒隆起部を使用して接合されてもよく、または、任意の数の接着剤を使用して組み合わされてもよい。接着剤を用いずに、軽い圧入および真空圧が、リングを適所に保持する。ＯＳＲおよびＯＰＩは、このシステムにおいて、使い捨てであるように設計され、それゆえ、眼科処置の間にＰＥＳの感染を防止するために殺菌することができる。
【００３５】
ＯＰＩは、いくつかの真空および液体チャンバを備える。ドッキング真空ポート（ＤＶＰ：ｄｏｃｋｉｎｇ  ｖａｃｕｕｍ  ｐｏｒｔ）が真空源に接続され、真空源は、ＯＰＩの外側円錐面の周縁から空気を排出し、したがって、ＯＷＲへの接合が行われることを可能にする。吸引真空ポート（ＳＶＰ：ｓｕｃｔｉｏｎ  ｖａｃｕｕｍ  ｐｏｒｔ）が、眼球吸引リングがＰＥＳを堅固に把持することを可能にする。液体注入ポートが、角膜と液体インターフェース窓（ＬＩＷ：ｌｉｑｕｉｄ  ｉｎｔｅｒｆａｃｅ  ｗｉｎｄｏｗ）の下面との間でチャンバを充填するために使用される流体の経路を提供する。液位がＬＩＷの底面に達すると、追加の流体がＯＰＩ内に含まれる容器チャネル内に移動する。流体が過剰に注入されるという非常にまれな事例において、流体は、ＯＰＩ内の排出窓から出ることになる。
【００３６】
システムは、眼球吸引リング（ＯＳＲ）において楕円形状の使用を実施し、これによって、純粋な円の吸引リングと比較してより大きい吸引面積が可能になる。ＯＳＲは、眼と直に接触し、その平滑性および幾何学的形状が密閉にとって重要である、２つの縁部を特徴とする。ＯＳＲの上面上では、接合面が、ＯＰＩに対する接合を行うように構成されている。ＯＳＲとＯＰＩとの間に接着剤を使用することを回避するために、これらの接合面は精密かつ平滑でなければならない。そうでなければ、２つの構成要素を結合するために、シリコーンのような接着剤が使用されてもよい。
【００３７】
ＯＳＲの他の特徴は、吸引リングチャンバの損壊を防止し、ＰＥＳのより広い面積にわたって圧力を分散させ、強膜への応力を低減する１つまたは複数の半径方向リブを含む。最後に、ＯＳＲ内の真空チャネルが、ＯＳＲ真空チャンバを、ＯＰＩ真空チャンバのＳＶＰ真空ポートに接続する。
【００３８】
多くの好ましい実施形態において、一般的な真空ポートノズルは、３．１７５ｍｍ（１／８インチ）径シリコーン管向けに設計されている。多くの実施形態において、流体送達ポートは、１．５８７ｍｍ（１／１６インチ）流体送達ノズルを利用し得る。これは、ポリマー材料から作成される圧入ノズルまたは超音波溶接構成要素を使用することによるＯＰＩの改善された製造のために設計され得る。
【００３９】
ＯＳＲ内の支持リブの半径方向間隔は、４つの円周位置において最適に配置される。ＯＰＩは、ＬＩＷの圧入を可能にするように構成することができる。ＯＰＩは、注入される流体がＬＩＷの底面に達すると一杯になる一連のオーバーフローチャンバに属するキャビティを有して構成され得る。
【００４０】
ＯＷＲ、ＯＳＢ、およびＬＯＢは、アルミニウムから最適に構築され、ドッキングに使用され、レーザ照射源に対するＯＰＩの動きを防止するように設計される。ＯＰＩの動きは、患者の眼の動きまたは頭部の動きから発生し得る。
【００４１】
一般的な人間の眼の寸法に関する情報を使用して、人間の眼の３Ｄ  ＣＡＤモデルが作成され、これが利用されて、ＯＳＲ接触分析のための有限要素モデル（ＦＥＭ）が作成された。ＦＥＭシミュレーションを実施することによって、最適化された楕円吸引リング設計が得られた。考慮された２３×１９ｍｍの眼にインターフェースする楕円のための最良の設計が決定された。これは、最も低い眼圧（ＩＯＰ）上昇およびＯＳＲの最も高い剛性をもたらした。この最適化された設計は、出血の可能性をより高くする可能性がある強膜に対する応力が増大する機会を低減し、また、角膜折れをもたらすおそれがある角膜圧縮応力の機会も低減する。
システム概観（０１００）
本発明は、図１の応用コンテキストシステムブロック図に示すように要約することができる（０１００）。ここで、システムは、有形コンピュータ可読媒体（０１０２）から読み出される機械命令を実行するコンピューティング制御デバイス（ＣＣＤ）（０１０１）を使用して構成される。図示のシステムは、走査レーザ源（ＳＬＳ：ｓｃａｎｎｉｎｇ  ｌａｓｅｒ  ｓｏｕｒｃｅ）（０１０４）およびレーザ対物光学素子（ＬＯＯ：ｌａｓｅｒ  ｏｂｊｅｃｔｉｖｅ  ｏｐｔｉｃｓ）（０１０５）を位置決めするレーザ位置決めアーム（ＬＰＡ：ｌａｓｅｒ  ｐｏｓｉｔｉｏｎ  ａｒｍ）（０１０３）を提供する。主要レーザ提供構成要素（０１０３、０１０４、０１０５）を備えるレーザ照射源（ＬＲＳ）が、ここでさらに説明するシステム内の構成要素の残りの部分（液体患者インターフェース（ＬＰＩ）（０１９０）と称される）にインターフェースする。
【００４２】
レーザ対物ブラケット（ＬＯＢ）（０１１０）は、レーザ提供構成要素（０１０３、０１０４、０１０５）と接合し、ＬＰＩ（０１９０）によって患者眼表面（ＰＥＳ）（０１０９）に印加される圧力を測定する眼球力センサ（ＯＦＳ）（０１２０）に接続される。ＯＦＳ（０１２０）は、ＯＦＳ（０１２０）と、ＰＥＳ（０１０９）インターフェースと関連付けられる構成要素を統合する光学窓保持器（ＯＷＲ）（０１４０）との間のてこの作用をもたらす光学分別装置ブラケット（ＯＳＢ）（０１３０）によって作動される。このてこの作用は、ＬＰＩ（０１９０）によってＰＥＳ（０１０９）に印加される圧力が、ＣＣＤ（０１０１）を介して医師に報告するために、ＯＦＳ（０１２０）に反射し戻されることを可能にする。
【００４３】
ＯＷＲ（０１４０）構成要素は、ＰＥＳ（０１０９）とインターフェースする無菌１回使用環境と、レーザ提供構成要素および眼球力検知装置の多回使用環境との間のインターフェースを提供する役割を担う。ＯＷＲ（０１４０）は、使い捨て眼球患者インターフェース（ＯＰＩ）（０１５０）に対する円錐状接合インターフェースを提供する。ＯＰＩ（０１５０）は、患者眼表面（ＰＥＳ）（０１０９）と物理的に接触する眼球吸引リング（ＯＳＲ）（０１６０）に面する液体インターフェース窓（ＬＩＷ）を保持するための機械的支持を提供する。
【００４４】
ＯＰＩ（０１５０）は、ドッキング真空ポート（ＤＶＰ）、吸引真空ポート（ＳＶＰ）、および液体注入ポート（ＬＩＰ）を提供する。ＤＶＰは、ＤＶＰに印加される真空が、ＯＷＲ（０１４０）とＯＰＩ（０１５０）との間の動的な物理的接合を強制的にもたらすように、ＯＷＲ（０１４０）とＯＰＩ（０１５０）との間の円錐状接合インターフェース内の空隙に接続される。これは、ＯＰＩ（０１５０）およびＯＳＲ（０１６０）がＰＥＳ（０１０９）と接合し、その後、ＯＷＲ（０１４０）とドッキングすることを可能にする。ＯＰＩ（０１５０）上の吸引真空ポート（ＳＶＰ）は、ＳＶＰに印加される真空が、ＯＳＲ（０１６０）をＰＥＳ（０１０９）に接合することを可能にする。ＯＰＩ（０１５０）に供給される真空は、手動でまたはＣＣＤ（０１０１）によって自動的にのいずれかで制御される真空吸引ポンプ（ＶＳＰ）（０１７０）から供給され得る。
【００４５】
ＯＰＩ（０１５０）上のＬＩＰは、液体が、ＯＰＩ内でＬＩＷの表面に挿入されることを可能にし、したがって、ＬＲＳとＰＥＳ（０１０９）との間に一定の屈折率を提供することを可能にする。ＯＰＩ（０１５０）上のこのＬＩＰは、シリンジ、ホース、および、ＣＣＤ（０１０１）の動作制御下にある自動流体送達システムを含む、様々な流体送達システム（ＦＤＳ：ｆｌｕｉｄ  ｄｅｌｉｖｅｒｙ  ｓｙｓｔｅｍ）（０１８０）構成要素を含むことができる。
例示的なＬＰＩ構成（０２００）
図１（０１００）からの液体患者インターフェース（ＬＰＩ）（０１９０）内の光学構成要素の好ましい例示的な実施形態の斜視図が、図２（０２００）に全般的に示されている。ここで、レーザ対物ブラケット（ＬＯＢ）（０２１０）が、ＯＦＳ（０２２０）と関連付けられる力検知電子機器（０２２９）とともに眼球力センサ（ＯＦＳ）（０２２０）に接合されるものとして示されている。ＯＦＳ（０２２０）および光学窓保持器（ＯＷＲ）（０２４０）を接続する光学分別装置ブラケット（ＯＳＢ）（０２３０）が示されている。ＯＷＲ（０２４０）は、眼球患者インターフェース（ＯＰＩ）（０２５０）に接合されて示されている。ＯＰＩ（０２５０）は、患者眼表面（０２０９）と接触している眼球吸引リング（ＯＳＲ）（０２６０）に接合されて示されている。
方法の概説（０３００）〜（０４００）
図１（０１００）に記載されている例示的なシステムの概説と関連して、図２（０２００）は、以下のステップを含む図３（０３００）〜図４（０４００）に示す眼科レーザ治療方法である。
【００４６】
（１）吸引チューブを液体患者インターフェース（ＬＰＩ）内の眼球患者インターフェース（ＯＰＩ）アセンブリに接続する（０３０１）。
（２）真空吸引ポンプ（ＶＳＰ）に対する真空圧を設定する（０３０２）。
【００４７】
（３）真空吸引ポンプ（ＶＳＰ）を作動させてＯＳＲをＰＥＳに真空接合する（０３０３）。
（４）眼球吸引リング（ＯＳＲ）を患者眼表面（ＰＥＳ）に接合するようにＬＰＩアセンブリを位置決めする（０３０４）。
【００４８】
（５）光学窓保持器（ＯＷＲ）をＯＰＩにドッキングする（０３０５）。
（６）ＶＳＰによってドッキングリング真空を作動させる（０３０６）。
（７）平衡溶液（ＢＬＳ：ｂａｌａｎｃｅｄ  ｌｉｑｕｉｄ  ｓｏｌｕｔｉｏｎ）をＯＰＩの液体注入ポート（ＬＩＰ）に注入する（０４０７）。
【００４９】
（８）レーザ対物ブラケット（ＬＯＢ）内に位置決めされたレーザによって患者の眼に対するレーザ手術を実施する（０４０８）。
（９）ＯＰＩの液体注入ポート（ＬＩＰ）を使用して平衡溶液（ＢＬＳ）を排出する（０４０９）。
【００５０】
（１０）ＯＰＩ真空逃がし弁（ＶＲＶ：ｖａｃｕｕｍ  ｒｅｌｉｅｆ  ｖａｌｖｅ）を開いてＯＷＲをＯＰＩから係合解除する（０４１０）。
（１１）ＯＳＲ真空逃がし弁（ＶＲＶ）を開いてＯＳＲをＰＥＳから係合解除する（０４１１）。
【００５１】
（１２）ＯＷＲをＯＰＩから切り離す（０４１２）。
（１３）ＯＳＲをＰＥＳから切り離す（０４１３）。
これらの方法工程は、本発明の教示を限定することなく増補または配列し直すことができることを、当業者は認識しよう。この全般的な方法の概要は、この全体的な設計記述と一致する広範な本発明の実施形態を生成するために、本明細書に記載の様々な要素によって増補することができる。
例示的なＬＰＩシステム構成ビュー（０５００）〜（１６００）
好ましい例示的なシステム構成の様々なビューが、図２（０２００）に示す患者眼表面（ＰＥＳ）を省いて図５（０５００）〜図１６（１６００）に示されている。これらのＬＰＩの図面には、コンピューティング制御デバイス（ＣＣＤ）、レーザ対物光学素子（ＬＯＯ）、走査レーザ源（ＳＬＳ）、レーザ位置決めアーム（ＬＰＡ）、真空吸引ポンプ（ＶＳＰ）、流体送達システム（ＦＤＳ）の詳細は示されていない。
例示的なＬＰＩ光路（１７００）〜（２４００）
好ましい本発明のＬＰＩ光路を示す組み立て図が、図１７（１７００）〜図２４（２４００）に示されている。これらのビューは、光学窓保持器（ＯＷＲ）（１７４０）（および眼球患者インターフェース（ＯＰＩ）（１７５０）と接合する、関連する真空密閉ガスケット（ＶＳＧ：ｖａｃｕｕｍ  ｓｅａｌｉｎｇ  ｇａｓｋｅｔ）（１７４９））、眼球患者インターフェース（ＯＰＩ）（１７５０）（ドッキング真空ポート（ＤＶＰ）（１９５１）、吸引真空ポート（ＳＶＰ）（１９５２）、液体注入ポート（ＬＩＰ）（１９５３）、および液体インターフェース窓（ＬＩＷ）（１７５９）を含む）、眼球吸引リング（ＯＳＲ）（１７６０）、および一般的な患者眼表面（ＰＥＳ）（１７０９）を含む、好ましい本発明の実施形態のいくつかの特徴を示す。
例示的なＶＳＰ（２５００）〜（２９００）
真空吸引ポンプ（ＶＳＰ）の好ましい例示的な実施形態が、図２５（２５００）〜図２９（２９００）に示されている。
【００５２】
図２５（２５００）は、ＶＳＰの全般的な概略を示す。ＶＳＰは、真空容器（２５７３）に接続されている逆止弁（２５７２）を通じて供給される真空源を生成する真空ポンプ（２５７１）を全般的に備える。真空容器（２５７３）は、ＯＷＲとＯＰＩとの間の接合を行う真空をＤＶＰに供給するオン／オフ弁（２５７５）に供給するドッキング真空計（ＤＶＧ：ｄｏｃｋｉｎｇ  ｖａｃｕｕｍ  ｇａｕｇｅ）（２５７４）によって監視される。
【００５３】
真空容器（２５７３）はまた、吸引真空計（ＳＶＧ：ｓｕｃｔｉｏｎ  ｖａｃｕｕｍ  ｇａｕｇｅ）（２５７７）によって監視される調整された真空を供給し、ＯＷＲとＯＰＩとの間の接合を行う真空をＳＶＰに供給するオン／オフ弁（２５７８）に供給する圧力／真空調整器（２５７６）にも供給する。
【００５４】
他の図面に全般的に示すように、ＤＶＰは、ＯＰＩ上の円錐状接合面（ＣＭＳ：ｃｏｎｉｃａｌ  ｍａｔｉｎｇ  ｓｕｒｆａｃｅ）とＯＷＲ上の対応する真空接合面（ＶＭＳ：ｖａｃｕｕｍ  ｍａｔｉｎｇ  ｓｕｒｆａｃｅ）との間の真空ドッキング空隙（ＶＤＶ：ｖａｃｕｕｍ  ｄｏｃｋｉｎｇ  ｖｏｉｄ）に供給する。したがって、ＶＳＰによってＤＶＰに真空が提供されると、ＯＷＲとＯＰＩとの間の接合が作動される。
【００５５】
同様に、ＯＰＩは、ＯＳＲと接続し、ＯＳＲ内の患者眼真空チャンバ（ＥＶＣ：ｅｙｅ  ｖａｃｕｕｍ  ｃｈａｍｂｅｒ）が、ＳＶＰに真空が印加されるときにＯＳＲをＰＥＳに真空接合することを可能にするＳＶＰ真空ポートを含む。ＳＶＧは、いくつかの構成において、ＰＥＳに印加される吸引圧が許容制限内に維持されることを保証するために、ＣＣＤによって監視することができる。
【００５６】
図２６（２６００）〜図２９（２９００）は、図２５（２５００）の概略図の機能の多くを実施するのに有用な制御ボックスのいくつかのビューを示す。この真空制御システムは、応用コンテキストおよびコンピュータ自動化の度合いに応じて、ＣＣＤおよび様々な手動／自動真空逃がし弁による自動真空圧測定によって増強することができる。
例示的な真空ポンプ（３０００）〜（３２００）
多くの真空ポンプが本発明を実施するのに使用するのに適し得るが、ＶＡＣＵＵＢＲＡＮＤ（登録商標）Ｍｏｄｅｌ  ＭＥ１が、多くの好ましい本発明の実施形態において好ましい真空源である。この応用形態における適切な真空ポンプからの一般的な真空性能特性を、以下の表に要約する。
【００５７】
【表１】
2019506246.tif 000003
本発明によって使用するのに適した真空ポンプの一般的な物理的構成が、図２９（２９００）に示されている。
【００５８】
図３１（３１００）〜図３２（３２００）は、本発明を実施するのに適した一般的な真空ポンプ性能特性を示す。
例示的なレーザ対物ブラケット（ＬＯＢ）（３３００）〜（４８００）
一般的なレーザ対物ブラケット（ＬＯＢ）の好ましい例示的な実施形態が、図３３（３３００）〜図４８（４８００）に提示されている詳細ビューに全般的に示されている。
例示的な眼球力センサ（ＬＯＢ）（４９００）〜（６４００）
一般的な眼球力センサ（ＯＦＳ）の好ましい例示的な実施形態が、図４９（４９００）〜図６４（６４００）に提示されている詳細ビューに全般的に示されている。ＣＣＤに接続されるセンサ電子機器は、これらの図には示されていない。図示されている圧力センサは、ＬＯＢによって印加されるトルクに応答してセンサ本体の一部分が偏向することによって動作する。ＯＦＳ上のセンサは、印加されるねじり力を検出し、差分アナログ信号を、デジタルへの変換およびＣＣＤへの送信のためにセンサ電子機器に送信することによって応答する。
【００５９】
本発明を実施するために多くの眼球力センサ（ＯＦＳ）を使用することができるが、多くの好ましい例示的な本発明の実施形態は、フーテックアドバンスドセンサテクノロジーインコーポレイティッド（ＦＵＴＥＫ  ＡＤＶＡＮＣＥＤ  ＳＥＮＳＯＲ  ＴＥＣＨＮＯＬＯＧＹ，ＩＮＣ）（郵便番号９２６１８−２７０２米国カリフォルニア州アーバイン、トーマス通り１０番地（１０  Ｔｈｏｍａｓ，  Ｉｒｖｉｎｅ  ＣＡ  ９２６１８−２７０２）−ｆｕｔｅｋ＠ｆｕｔｅｋ．ｃｏｍ／ｗｗｗ．ｆｕｔｅｋ．ｃｏｍ）モデルＬＳＭ２００（ＦＳＨ０００６４）圧力センサを利用することができる。モデルＬＳＭ２００は、多くの本発明の実施形態においてこれをＯＦＳとして使用するのに理想的なものにするスライド取り付け機構を有するスリムな設計を提供するビーム型ロードセル（ＢＬＳ：Ｂｅａｍ  Ｌｏａｄ  Ｃｅｌｌ）である。引張と圧縮の両方において利用される、この特定のＢＬＳは、４４．４５ｍｍ（１．７５インチ）の長さ、９．６５２ｍｍ（０．３８インチ）の幅、および９．１４４ｍｍ（０．３６インチ）の高さを有する。ＬＳＭ２００は、２０２４アルミニウム（４．５３６ｋｇ（１０ポンド））で構成され、５０．８ｍｍ（２インチ）Ｍｏｌｅｘ可撓性４線式（１ｍｍピッチ）ケーブルを有する。
【００６０】
本発明の応用コンテキストにおいて適切なＯＦＳの一般的な仕様は、以下のとおりである。
【００６１】
【表２】
2019506246.tif 000004
例示的な光学分別装置ブラケット（ＯＳＢ）（６５００）〜（８０００）
一般的な光学分別装置ブラケット（ＯＳＢ）の好ましい例示的な実施形態が、図６５（６５００）〜図８０（８０００）に提示されている詳細ビューに全般的に示されている。
例示的な光学窓保持器（ＯＷＲ）（８１００）〜（９６００）
一般的な光学窓保持器（ＯＷＲ）の好ましい例示的な実施形態が、図８１（８１００）〜図９６（９６００）に提示されている詳細ビューに全般的に示されている。
例示的な眼球患者インターフェース（ＯＰＩ）（９７００）〜（１１２００）
一般的な眼球患者インターフェース（ＯＰＩ）の好ましい例示的な実施形態が、図９７（９７００）〜図１１２（１１２００）に提示されている詳細ビューに全般的に示されている。
例示的な眼球吸引リング（ＯＳＲ）（１１３００）〜（１２８００）
一般的な眼球吸引リング（ＯＳＲ）の好ましい例示的な実施形態が、図１１３（１１３００）〜図１２８（１２８００）に提示されている詳細ビューに全般的に示されている。
【００６２】
ＯＳＲは、ＯＰＩ上の対応する接合接触面（ＭＣＳ：ｍａｔｉｎｇ  ｃｏｎｔａｃｔ  ｓｕｒｆａｃｅ）と接合するように構成されている接合接触リング（ＭＣＲ：ｍａｔｉｎｇ  ｃｏｎｔａｃｔ  ｒｉｎｇ）（１１３６１、１１３６２）を備える。
【００６３】
ＯＳＲは、患者眼表面（ＰＥＳ）と接合するように構成されている外側接触リング（ＯＣＲ：ｏｕｔｅｒ  ｃｏｎｔａｃｔ  ｒｉｎｇ）およびＰＥＳと接合するように構成されている内側接触リング（ＩＣＲ：ｉｎｎｅｒ  ｃｏｎｔａｃｔ  ｒｉｎｇ）（１１４６４）をさらに備える。ＯＣＲ（１１４６３）およびＩＣＲ（１１４６４）の総表面接触面積は、従来のＬＯＩよりも大きく、そのため、眼科レーザ治療中にＰＥＳに対する表面圧力を低減する。このより大きい表面接触面積は、眼科レーザ治療過程の間のＰＥＳに対する損傷の機会を低減し、治療過程の間の患者の快適度を劇的に改善する。
【００６４】
ＯＣＲは、ゼロよりも大きい外側楕円離心率（ＯＥＥ：ｏｕｔｅｒ  ｅｌｌｉｐｓｅ  ｅｃｃｅｎｔｒｉｃｉｔｙ）を有するＯＣＲを構成する外側楕円長軸（ＯＥＪ：ｏｕｔｅｒ  ｅｌｌｉｐｓｅ  ｍａｊｏｒ  ａｘｉｓ）および外側楕円短軸（ＯＥＮ：ｏｕｔｅｒ  ｅｌｌｉｐｓｅ  ｍｉｎｏｒ  ａｘｉｓ）を有する外側楕円円筒チューブ（ＯＥＣ：ｏｕｔｅｒ  ｅｌｌｉｐｔｉｃａｌ  ｃｙｌｉｎｄｒｉｃａｌ  ｔｕｂｅ）を形成する。ＩＣＲは、ゼロよりも大きい内側楕円離心率（ＩＥＥ：ｉｎｎｅｒ  ｅｌｌｉｐｓｅ  ｅｃｃｅｎｔｒｉｃｉｔｙ）を有するＩＣＲを構成する内側楕円長軸（ＩＥＪ：ｉｎｎｅｒ  ｅｌｌｉｐｓｅ  ｍａｊｏｒ  ａｘｉｓ）および内側楕円短軸（ＩＥＮ：ｉｎｎｅｒ  ｅｌｌｉｐｓｅ  ｍｉｎｏｒ  ａｘｉｓ）を有する内側楕円円筒チューブ（ＩＥＣ：ｉｎｎｅｒ  ｅｌｌｉｐｔｉｃａｌ  ｃｙｌｉｎｄｒｉｃａｌ  ｔｕｂｅ）を形成する。
【００６５】
ＯＥＪはＩＥＪと一致し、ＯＥＮはＩＥＮと一致する。
ＯＥＣは、ＰＥＳに合致するように長手方向に湾曲する外側遠位周縁部（ＯＤＥ：ｏｕｔｅｒ  ｄｉｓｔａｌ  ｐｅｒｉｐｈｅｒａｌ  ｅｄｇｅ）（１１５６５）を備える。ＩＥＣは、ＰＥＳに合致するように長手方向に湾曲する内側遠位周縁部（ＩＤＥ：ｉｎｎｅｒ  ｄｉｓｔａｌ  ｐｅｒｉｐｈｅｒａｌ  ｅｄｇｅ）（１１５６６）を備える。
【００６６】
ＰＥＳがＯＤＥおよびＩＤＥと同時に接触するときに、ＯＣＲおよびＩＣＲは接触リング半径（ＣＲＲ：ｃｏｎｔａｃｔ  ｒｉｎｇ  ｒａｄｉｕｓ）（１１５６７）によってともに結合されて、患者眼真空チャンバ（ＥＶＣ）が形成される。
【００６７】
いくつかの半径方向リブ（１１５６８）をＯＤＥ（１１５６５）とＣＲＲ（１１５６７）との間に組み込んで、ＯＤＥ（１１５６５）を安定化させて、治療中に患者の眼を損傷することなく、ＰＥＳにわたって均一な圧力をもたらすことができる。
好ましい実施形態のシステムの要約
本発明の好ましい例示的なシステム実施形態は、構造の基本理念において広範な変形形態を見込んでいるが、
（ａ）眼球吸引リング（ＯＳＲ）と、
（ｂ）眼球患者インターフェース（ＯＰＩ）と、
（ｃ）光学窓保持器（ＯＷＲ）と、
（ｄ）光学分別装置ブラケット（ＯＳＢ）と、
（ｅ）眼球力センサ（ＯＦＳ）と、
（ｆ）レーザ対物ブラケット（ＬＯＢ）と、
（ｇ）真空吸引ポンプ（ＶＳＰ）と、
（ｈ）コンピュータ制御デバイス（ＣＣＤ）と
を備え、
ＯＳＲは、ＯＰＩ上の対応する接合接触面（ＭＣＳ）と接合するように構成されている接合接触リング（ＭＣＲ）を備え、
ＯＳＲは、患者眼表面（ＰＥＳ）と接合するように構成されている外側接触リング（ＯＣＲ）をさらに備え、
ＯＳＲは、ＰＥＳと接合するように構成されている内側接触リング（ＩＣＲ）をさらに備え、
ＯＣＲは、ゼロよりも大きい外側楕円離心率（ＯＥＥ）を有するＯＣＲを構成する外側楕円長軸（ＯＥＪ）および外側楕円短軸（ＯＥＮ）を有する外側楕円円筒チューブ（ＯＥＣ）を形成し、
ＩＣＲは、ゼロよりも大きい内側楕円離心率（ＩＥＥ）を有するＩＣＲを構成する内側楕円長軸（ＩＥＪ）および内側楕円短軸（ＩＥＮ）を有する内側楕円円筒チューブ（ＩＥＣ）を形成し、
ＯＥＪはＩＥＪと一致し、
ＯＥＮはＩＥＮと一致し、
ＯＥＣは、ＰＥＳに合致するように長手方向に湾曲する外側遠位周縁部（ＯＤＥ）を備え、
ＩＥＣは、ＰＥＳに合致するように長手方向に湾曲する内側遠位周縁部（ＩＤＥ）を備え、
ＰＥＳがＯＤＥおよびＩＤＥと同時に接触するときに、ＯＣＲおよびＩＣＲは接触リング半径（ＣＲＲ）によってともに結合されて、患者眼真空チャンバ（ＥＶＣ）が形成され、
ＯＰＩは、ＯＷＲ上の対応する真空接合面（ＶＭＳ）と接合し、ＣＭＳとＶＭＳとの間に真空ドッキング空隙（ＶＤＶ）を提供するように構成されている円錐状接合面（ＣＭＳ）を備え、
ＯＰＩは、ＶＤＶに真空が印加されるときにＯＷＲに動的に接合するように構成されており、
ＯＰＩは、ドッキング真空ポート（ＤＶＰ）、吸引真空ポート（ＳＶＰ）、および液体注入ポート（ＬＩＰ）をさらに備え、
ＯＰＩは、液体インターフェース窓（ＬＩＷ）をＭＣＳと同心に保持するように構成されており、
ＶＳＰは、ＤＶＰおよびＳＶＰに制御された差動真空を供給するように構成されており、
ＤＶＰはＶＤＶに接続されており、
ＯＷＲは、ＯＳＢに機械的に結合されており、
ＯＳＢは、ＯＦＳに機械的に結合されており、
ＯＦＳは、ＯＳＲ、ＯＰＩ、ＯＷＲ、およびＯＳＢを通じてＰＥＳによって機械力を印加することによって引き起こされるＯＦＳの偏向を測定することによって、ＯＳＲによってＰＥＳに印加される圧力を検知するように構成されており、
ＬＯＢは、レーザ照射源（ＬＲＳ）を保持するように構成されており、
ＬＲＳは、ＯＷＲ、ＯＷＷ、およびＥＶＣを通じてＰＥＳへとレーザ放射線を方向付けるように構成されており、
ＣＣＤは、ＬＲＳの動作を制御し、ＯＦＳからの圧力読み値を監視し、ＶＳＰによってＰＥＳに印加される真空圧を監視するように構成されている、眼科レーザ治療システムとして一般化することができる。
【００６８】
この全般的なシステムの概要は、この全体的な設計記述と一致する広範な本発明の実施形態を生成するために、本明細書に記載の様々な要素によって増補することができる。
好ましい実施形態の方法の要約
本発明の好ましい例示的な方法実施形態は、実施態様の基本理念において広範な変形形態を見込んでいるが、眼科レーザ治療方法として一般化することができ、方法は、
（ａ）眼球吸引リング（ＯＳＲ）と、
（ｂ）眼球患者インターフェース（ＯＰＩ）と、
（ｃ）光学窓保持器（ＯＷＲ）と、
（ｄ）光学分別装置ブラケット（ＯＳＢ）と、
（ｅ）眼球力センサ（ＯＦＳ）と、
（ｆ）レーザ対物ブラケット（ＬＯＢ）と、
（ｇ）真空吸引ポンプ（ＶＳＰ）と、
（ｈ）コンピュータ制御デバイス（ＣＣＤ）と
を備える眼科レーザ治療システムとともに動作し、
ＯＳＲは、ＯＰＩ上の対応する接合接触面（ＭＣＳ）と接合するように構成されている接合接触リング（ＭＣＲ）を備え、
ＯＳＲは、患者眼表面（ＰＥＳ）と接合するように構成されている外側接触リング（ＯＣＲ）をさらに備え、
ＯＳＲは、ＰＥＳと接合するように構成されている内側接触リング（ＩＣＲ）をさらに備え、
ＯＣＲは、ゼロよりも大きい外側楕円離心率（ＯＥＥ）を有するＯＣＲを構成する外側楕円長軸（ＯＥＪ）および外側楕円短軸（ＯＥＮ）を有する外側楕円円筒チューブ（ＯＥＣ）を形成し、
ＩＣＲは、ゼロよりも大きい内側楕円離心率（ＩＥＥ）を有するＩＣＲを構成する内側楕円長軸（ＩＥＪ）および内側楕円短軸（ＩＥＮ）を有する内側楕円円筒チューブ（ＩＥＣ）を形成し、
ＯＥＪはＩＥＪと一致し、
ＯＥＮはＩＥＮと一致し、
ＯＥＣは、ＰＥＳに合致するように長手方向に湾曲する外側遠位周縁部（ＯＤＥ）を備え、
ＩＥＣは、ＰＥＳに合致するように長手方向に湾曲する内側遠位周縁部（ＩＤＥ）を備え、
ＰＥＳがＯＤＥおよびＩＤＥと同時に接触するときに、ＯＣＲおよびＩＣＲは接触リング半径（ＣＲＲ）によってともに結合されて、患者眼真空チャンバ（ＥＶＣ）が形成され、
ＯＰＩは、ＯＷＲ上の対応する真空接合面（ＶＭＳ）と接合し、ＣＭＳとＶＭＳとの間に真空ドッキング空隙（ＶＤＶ）を提供するように構成されている円錐状接合面（ＣＭＳ）を備え、
ＯＰＩは、ＶＤＶに真空が印加されるときにＯＷＲに動的に接合するように構成されており、
ＯＰＩは、ドッキング真空ポート（ＤＶＰ）、吸引真空ポート（ＳＶＰ）、および液体注入ポート（ＬＩＰ）をさらに備え、
ＯＰＩは、液体インターフェース窓（ＬＩＷ）をＭＣＳと同心に保持するように構成されており、
ＶＳＰは、ＤＶＰおよびＳＶＰに制御された差動真空を供給するように構成されており、
ＤＶＰはＶＤＶに接続されており、
ＯＷＲは、ＯＳＢに機械的に結合されており、
ＯＳＢは、ＯＦＳに機械的に結合されており、
ＯＦＳは、ＯＳＲ、ＯＰＩ、ＯＷＲ、およびＯＳＢを通じてＰＥＳによって機械力を印加することによって引き起こされるＯＦＳの偏向を測定することによって、ＯＳＲによってＰＥＳに印加される圧力を検知するように構成されており、
ＬＯＢは、レーザ照射源（ＬＲＳ）を保持するように構成されており、
ＬＲＳは、ＯＷＲ、ＯＷＷ、およびＥＶＣを通じてＰＥＳへとレーザ放射線を方向付けるように構成されており、
ＣＣＤは、ＬＲＳの動作を制御し、ＯＦＳからの圧力読み値を監視し、ＶＳＰによってＰＥＳに印加される真空圧を監視するように構成されており、
方法は、
（１）吸引チューブをＯＰＩに接続する工程と、
（２）ＶＳＰに対する真空圧を設定する工程と、
（３）ＶＳＰを作動させてＯＳＲをＰＥＳに真空接合する工程と、
（４）ＯＳＲをＰＥＳに接合するようにＬＰＩを位置決めする工程と、
（５）ＣＣＤの制御下で、ＶＳＰに接続されている真空計から得られる真空測定値を読み取ることによって、ＰＥＳに対する真空圧を監視する工程と、
（６）ＣＣＤの制御下で、ＯＦＳによって得られる圧力測定値を読み取ることによって、ＰＥＳに印加される圧力を監視する工程と、
（７）ＯＷＲをＯＰＩにドッキングする工程と、
（８）ＶＳＰによってドッキングリング真空を作動させる工程と、
（９）平衡溶液（ＢＬＳ）をＯＰＩのＬＩＰに注入する工程と、
（１０）ＣＣＤによって操作され、ＬＯＢによって位置決めされているレーザ照射源（ＬＲＳ）によって眼科レーザ手術を実施する工程と、
（１１）ＯＰＩのＬＩＰを使用してＢＬＳを排出する工程と、
（１２）ＶＳＰ内のＯＰＩ真空逃がし弁（ＯＰＩ−ＶＲＶ）を開いてＯＷＲをＯＰＩから係合解除する工程と、
（１３）ＶＳＰ内のＯＳＲ真空逃がし弁（ＯＳＲ−ＶＲＶ）を開いてＯＳＲをＰＥＳから係合解除する工程と、
（１４）ＯＷＲをＯＰＩから切り離す工程と、
（１５）ＯＳＲをＰＥＳから切り離す工程と
を含む。
【００６９】
これらの方法工程は、本発明の教示を限定することなく増補または配列し直すことができることを、当業者は認識しよう。この全般的な方法の概要は、この全体的な設計記述と一致する広範な本発明の実施形態を生成するために、本明細書に記載の様々な要素によって増補することができる
システム／方法の変形形態
本発明は、構造の基本理念において、広範な変形形態を見込んでいる。以前に提示されている例は、可能な使用の全範囲を表すものではない。それらの例は、ほぼ無限の可能性のいくつかに言及するように意図されている。
【００７０】
この基本システムおよび方法は、限定ではないが以下を含む、様々な補助実施形態によって増補することができる。
ＯＳＲが、ＯＣＲおよびＣＲＲを接続し、上記ＰＥＳに接触するように構成されている１つまたは複数の半径方向リブをさらに備える実施形態。
【００７１】
ＯＳＲが、ＯＣＲおよびＣＲＲを接続し、上記ＰＥＳに接触するように構成されている４つの半径方向リブをさらに備える実施形態。
ＯＥＪが２０ｍｍ〜２５ｍｍの範囲内の長さを有する実施形態。
【００７２】
ＯＥＪが２３ｍｍの長さを有する実施形態。
ＯＥＮが１７ｍｍ〜２１ｍｍの範囲内の長さを有する実施形態。
ＯＥＮが１９ｍｍの長さを有する実施形態。
【００７３】
ＶＳＰが、ＯＳＲによってＰＥＳに印加される吸引力を制限するように構成されている真空調整器をさらに備える実施形態。
ＯＰＩが、ＰＥＳの被覆範囲からあふれる、ＬＩＰから注入されている流体を受け入れるように構成されている液体オーバーフローチャンバ（ＬＯＣ）をさらに備える実施形態。
【００７４】
ＯＰＩが、ＬＯＣによる閉じ込めからあふれる、ＬＩＰから注入されている流体を放出するように構成されている液体オーバーフローポート（ＬＯＰ）をさらに備える実施形態。
【００７５】
上記の本発明の説明内で教示されている要素の組み合わせに基づいて他の実施形態が可能であることを、当業者は認識しよう。本発明は、上記の実施形態およびそれらの個々の要素の任意の組み合わせを構築することができ、開示されている発明の範囲と考えることができることを見込んでいる。
一般化されたコンピュータ使用可能媒体
様々な代替の実施形態において、本発明は、コンピュータ化されたコンピューティングシステムによって使用するためのコンピュータプログラム製品として実施されてもよい。本発明によって規定される機能を定義するプログラムは、任意の適切なプログラミング言語で書くことができ、限定ではないが以下を含む多くの形態でコンピュータに送達することができることを、当業者は容易に理解するであろう。（ａ）書き込み不能記憶媒体（例えば、ＲＯＭまたはＣＤ−ＲＯＭディスクのような読み出し専用メモリデバイス）に永続的に記憶される情報、（ｂ）書き込み可能記憶媒体（例えば、ハードディスクおよびＵＳＢサムドライブ）に可変に記憶される情報、および／または、（ｃ）ローカルエリアネットワーク、電話網、もしくはインターネットのような公衆ネットワークのような通信媒体を通じてコンピュータに搬送される情報。本発明の方法を実施するコンピュータ可読命令を担持するとき、そのようなコンピュータ可読媒体は、本発明の代替の実施形態を表す。
【００７６】
本明細書において全般的に示されているように、本発明のシステム実施形態は、コンピュータ可読コード手段を内部に具現化されているコンピュータ使用可能媒体を含む様々なコンピュータ可読媒体を組み込むことができる。本明細書に記載の様々な過程と関連付けられるソフトウェアは、ソフトウェアがそこからロードおよび起動される広範なコンピュータアクセス可能媒体において具現化することができることを、当業者は理解しよう。Ｉｎ  ｒｅ  Ｂｅａｕｒｅｇａｒｄ，３５  ＵＳＰＱ２ｄ  １３８３（米国特許第５，７１０，５７８号明細書）にしたがって、本発明は、このタイプのコンピュータ可読媒体を見込み、本発明の範囲内に含める。Ｉｎ  ｒｅ  Ｎｕｉｊｔｅｎ，５００  Ｆ．３ｄ  １３４６（連邦巡回区控訴裁判所２００７）（米国特許出願第０９／２１１，９２８号）に従って、本発明の範囲は、媒体が有形かつ非一時的であるコンピュータ可読媒体に限定される。
結論
楕円眼球吸引リング（ＯＳＲ）を使用して患者眼表面（ＰＥＳ）との液体光学インターフェース（ＬＯＩ）を提供する眼科レーザ治療システムおよび方法が開示された。使い捨て眼球患者インターフェース（ＯＰＩ）が、ＰＥＳ、ＯＳＲ、ＯＰＩ、および光学窓保持器（ＯＷＲ）の同時の差動真空接合を可能にする。ＰＥＳ、ＯＳＲ、ＯＰＩ、およびＯＷＲは、レーザ治療中にＰＥＳを被覆するために中に流体を挿入することができる封止された容積を形成する。真空吸引ポンプ（ＶＳＰ）が、レーザ治療中にＰＥＳ、ＯＳＲ、ＯＰＩ、およびＯＷＲの間の適切な差動真空接合（ＤＶＭ）を保証する、制御された真空をＯＰＩに提供する。ＯＷＲは、眼球力センサ（ＯＦＳ）および光学分別装置ブラケット（ＯＳＢ）を介してレーザ対物ブラケット（ＬＯＢ）に接続する。ＯＦＳは、ＰＥＳに印加される圧力を検知し、レーザ治療中にＰＥＳに印加される圧力を制限するコンピュータ化制御デバイス（ＣＣＤ）にデータを提供する。
請求項の解釈
以下の規則は、本発明の請求項を解釈するときに適用される。
【００７７】
請求項の前文は、特許請求される発明の範囲を限定するものとして考えられるべきである。
「ＷＨＥＲＥＩＮ」節は、特許請求される発明の範囲を限定するものとして考えられるべきである。
【００７８】
「ＷＨＥＲＥＢＹ」節は、特許請求される発明の範囲を限定するものとして考えられるべきである。
「ＡＤＡＰＴＥＤ  ＴＯ」節は、特許請求される発明の範囲を限定するものとして考えられるべきである。
【００７９】
「ＡＤＡＰＴＥＤ  ＦＯＲ」節は、特許請求される発明の範囲を限定するものとして考えられるべきである。
「手段」という用語は、米国特許法第１１２条（ｆ）項に記載されているミーンズプラスファンクションの請求項の限定を特に行使し、そのような請求項は、本明細書に記載されている対応する構造、材料、または動作およびその均等物を包含するように解釈されるべきである。
【００８０】
「〜するための手段」という用語は、米国特許法第１１２条（ｆ）項に記載されているミーンズプラスファンクションの請求項の限定を特に行使し、そのような請求項は、本明細書に記載されている対応する構造、材料、または動作およびその均等物を包含するように解釈されるべきである。
【００８１】
「〜する工程」という用語は、米国特許法第１１２条（ｆ）項に記載されているステッププラスファンクションの請求項の限定を特に行使し、そのような請求項は、本明細書に記載されている対応する構造、材料、または動作およびその均等物を包含するように解釈されるべきである。
【００８２】
米国特許法第１１２条（ｆ）項に記載されているステッププラスファンクションの請求項の限定は、「〜するための手段」、「手段」、または「〜する工程」という語句を含むそのような請求項についてのみ、本明細書に記載されている対応する構造、材料、または動作およびその均等物を包含するように解釈されるべきである。
【００８３】
「Ｘおよび／またはＹ」と言う表現の文脈における「および／または」という語句は、Ｅｘ  Ｐａｒｔｅ  Ｇｒｏｓｓ（米国特許商標庁特許公判審判部、審判請求２０１１−００４８１１、整理番号１１／５６５，４１１）（「『および／または』は、要素Ａのみ、要素Ｂのみ、または、ともに取り上げられている要素ＡおよびＢを有する実施形態をカバーする」）によって解釈されているように、集合「（ＸまたはＹ）」と結合した「（ＸおよびＹ）」の集合を定義するように解釈されるべきである。
【００８４】
本明細書において提示されている請求項は、いかなる抽象概念も回避しないように、十分に狭い範囲で本出願において提示されている明細書および図面に照らして解釈されるべきである。
【００８５】
本明細書において提示されている請求項は、任意の概念のすべての適用を除外しないように、十分に狭い範囲で本出願において提示されている明細書および図面に照らして解釈されるべきである。
【００８６】
本明細書において提示されている請求項は、完全に人間の心の中で実施され得る任意の基本的な精神的過程を除外するように、十分に狭い範囲で本出願において提示されている明細書および図面に照らして解釈されるべきである。
【００８７】
本明細書において提示されている請求項は、完全に人間の手動労力によって実施され得る任意の過程を除外するように、十分に狭い範囲で本出願において提示されている明細書および図面に照らして解釈されるべきである。
請求項
本発明の好ましい実施形態が、添付の図面に示され、上記の詳細な説明において説明されているが、本発明は開示されている実施形態に限定されず、添付の特許請求の範囲によって記載および規定されるような本発明の精神から逸脱することなく、多数の再構成、改変、および置換が可能であることは理解されよう。
【図１】
2019506246.tif 000005
【図２】
2019506246.tif 000006
【図３】
2019506246.tif 000007
【図４】
2019506246.tif 000008
【図５】
2019506246.tif 000009
【図６】
2019506246.tif 000010
【図７】
2019506246.tif 000011
【図８】
2019506246.tif 000012
【図９】
2019506246.tif 000013
【図１０】
2019506246.tif 000014
【図１１】
2019506246.tif 000015
【図１２】
2019506246.tif 000016
【図１３】
2019506246.tif 000017
【図１４】
2019506246.tif 000018
【図１５】
2019506246.tif 000019
【図１６】
2019506246.tif 000020
【図１７】
2019506246.tif 000021
【図１８】
2019506246.tif 000022
【図１９】
2019506246.tif 000023
【図２０】
2019506246.tif 000024
【図２１】
2019506246.tif 000025
【図２２】
2019506246.tif 000026
【図２３】
2019506246.tif 000027
【図２４】
2019506246.tif 000028
【図２５】
2019506246.tif 000029
【図２６】
2019506246.tif 000030
【図２７】
2019506246.tif 000031
【図２８】
2019506246.tif 000032
【図２９】
2019506246.tif 000033
【図３０】
2019506246.tif 000034
【図３１】
2019506246.tif 000035
【図３２】
2019506246.tif 000036
【図３３】
2019506246.tif 000037
【図３４】
2019506246.tif 000038
【図３５】
2019506246.tif 000039
【図３６】
2019506246.tif 000040
【図３７】
2019506246.tif 000041
【図３８】
2019506246.tif 000042
【図３９】
2019506246.tif 000043
【図４０】
2019506246.tif 000044
【図４１】
2019506246.tif 000045
【図４２】
2019506246.tif 000046
【図４３】
2019506246.tif 000047
【図４４】
2019506246.tif 000048
【図４５】
2019506246.tif 000049
【図４６】
2019506246.tif 000050
【図４７】
2019506246.tif 000051
【図４８】
2019506246.tif 000052
【図４９】
2019506246.tif 000053
【図５０】
2019506246.tif 000054
【図５１】
2019506246.tif 000055
【図５２】
2019506246.tif 000056
【図５３】
2019506246.tif 000057
【図５４】
2019506246.tif 000058
【図５５】
2019506246.tif 000059
【図５６】
2019506246.tif 000060
【図５７】
2019506246.tif 000061
【図５８】
2019506246.tif 000062
【図５９】
2019506246.tif 000063
【図６０】
2019506246.tif 000064
【図６１】
2019506246.tif 000065
【図６２】
2019506246.tif 000066
【図６３】
2019506246.tif 000067
【図６４】
2019506246.tif 000068
【図６５】
2019506246.tif 000069
【図６６】
2019506246.tif 000070
【図６７】
2019506246.tif 000071
【図６８】
2019506246.tif 000072
【図６９】
2019506246.tif 000073
【図７０】
2019506246.tif 000074
【図７１】
2019506246.tif 000075
【図７２】
2019506246.tif 000076
【図７３】
2019506246.tif 000077
【図７４】
2019506246.tif 000078
【図７５】
2019506246.tif 000079
【図７６】
2019506246.tif 000080
【図７７】
2019506246.tif 000081
【図７８】
2019506246.tif 000082
【図７９】
2019506246.tif 000083
【図８０】
2019506246.tif 000084
【図８１】
2019506246.tif 000085
【図８２】
2019506246.tif 000086
【図８３】
2019506246.tif 000087
【図８４】
2019506246.tif 000088
【図８５】
2019506246.tif 000089
【図８６】
2019506246.tif 000090
【図８７】
2019506246.tif 000091
【図８８】
2019506246.tif 000092
【図８９】
2019506246.tif 000093
【図９０】
2019506246.tif 000094
【図９１】
2019506246.tif 000095
【図９２】
2019506246.tif 000096
【図９３】
2019506246.tif 000097
【図９４】
2019506246.tif 000098
【図９５】
2019506246.tif 000099
【図９６】
2019506246.tif 000100
【図９７】
2019506246.tif 000101
【図９８】
2019506246.tif 000102
【図９９】
2019506246.tif 000103
【図１００】
2019506246.tif 000104
【図１０１】
2019506246.tif 000105
【図１０２】
2019506246.tif 000106
【図１０３】
2019506246.tif 000107
【図１０４】
2019506246.tif 000108
【図１０５】
2019506246.tif 000109
【図１０６】
2019506246.tif 000110
【図１０７】
2019506246.tif 000111
【図１０８】
2019506246.tif 000112
【図１０９】
2019506246.tif 000113
【図１１０】
2019506246.tif 000114
【図１１１】
2019506246.tif 000115
【図１１２】
2019506246.tif 000116
【図１１３】
2019506246.tif 000117
【図１１４】
2019506246.tif 000118
【図１１５】
2019506246.tif 000119
【図１１６】
2019506246.tif 000120
【図１１７】
2019506246.tif 000121
【図１１８】
2019506246.tif 000122
【図１１９】
2019506246.tif 000123
【図１２０】
2019506246.tif 000124
【図１２１】
2019506246.tif 000125
【図１２２】
2019506246.tif 000126
【図１２３】
2019506246.tif 000127
【図１２４】
2019506246.tif 000128
【図１２５】
2019506246.tif 000129
【図１２６】
2019506246.tif 000130
【図１２７】
2019506246.tif 000131
【図１２８】
2019506246.tif 000132
【国際調査報告】
2019506246.tif 000133